(57)【要約】  本開示の態様は、基地局によるワイヤレス通信のための技法を提供する。例示的な方法は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振ることと、ここで、アップリンクリソースは、第２のタイプのＵＥに割り振られたアップリンクリソースと同じかまたは異なるシンボル持続時間および同じかまたは異なる時間グラニュラリティを用いて、および第１のタイプのＵＥに割り振らたシングルサブキャリアを用いて割り振られ、割り振られたリソース上で第１のタイプのＵＥからアップリンク送信を受信することと、を含む。【選択図】図２１
2018533257.tif 000002
【特許請求の範囲】
【請求項１】
基地局（ＢＳ）によるワイヤレス通信のための方法であって、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースに対して増加されたシンボル持続時間をもつ狭帯域サブフレーム構造において割り振られ、前記狭帯域サブフレーム構造におけるシンボルは、前記第２のタイプのＵＥと通信するために使用される複数のサブフレーム構造のセットの境界と整合され、
前記割り振られたリソース上で前記第１のタイプのＵＥからアップリンク送信を受信することと、
を備える、方法。
【請求項２】
前記増加されたシンボル持続時間は、前記第２のタイプのＵＥに割り振られたシンボル持続時間の４倍の持続時間であるシンボル持続時間を備える、請求項１に記載の方法。
【請求項３】
前記狭帯域サブフレーム構造は、前記狭帯域サブフレーム構造の境界を、前記第２のタイプのＵＥと通信するために使用される前記サブフレーム構造の前記複数の境界と整合させるためのガード期間をさらに備える、請求項１に記載の方法。
【請求項４】
前記第１の周波数帯域と前記第２の周波数帯域とは重複しない、請求項１に記載の方法。
【請求項５】
前記第１の周波数帯域は前記第２の周波数帯域のガードバンド部分と少なくとも部分的に重複する、請求項１に記載の方法。
【請求項６】
第１のタイプのユーザ機器（ＵＥ）によるワイヤレス通信のための方法であって、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、前記第２のタイプのＵＥに割り振られたアップリンクリソースに対して増加されたシンボル持続時間をもつ狭帯域サブフレーム構造において割り振られ、前記狭帯域サブフレーム構造におけるシンボルは、前記第２のタイプのＵＥと通信するために使用される複数のサブフレーム構造のセットの境界と整合され、
前記割り振られたリソースを使用してアップリンク送信を実行することと、
を備える、方法。
【請求項７】
前記増加されたシンボル持続時間は、前記第２のタイプのＵＥに割り振られたシンボル持続時間の４倍の持続時間であるシンボル持続時間を備える、請求項６に記載の方法。
【請求項８】
前記狭帯域サブフレーム構造は、前記狭帯域サブフレーム構造の境界を、前記第２のタイプのＵＥと通信するために使用される前記サブフレーム構造の前記複数の境界と整合させるためのガード期間をさらに備える、請求項６に記載の方法。
【請求項９】
前記第１の周波数帯域と前記第２の周波数帯域とは重複しない、請求項６に記載の方法。
【請求項１０】
前記第１の周波数帯域は前記第２の周波数帯域のガードバンド部分と少なくとも部分的に重複する、請求項６に記載の方法。
【請求項１１】
基地局（ＢＳ）によるワイヤレス通信のための方法であって、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースと同じシンボル持続時間および同じ時間グラニュラリティを用いて割り振られ、およびシングルサブキャリアが前記第１のタイプのＵＥに割り振られ、
前記割り振られたリソース上で前記第１のタイプのＵＥからアップリンク送信を受信することと、
を備える、方法。
【請求項１２】
前記第１の周波数帯域と前記第２の周波数帯域とは重複しない、請求項１１に記載の方法。
【請求項１３】
前記第１の周波数帯域は前記第２の周波数帯域のガードバンド部分と少なくとも部分的に重複する、請求項１１に記載の方法。
【請求項１４】
異なる第１のタイプのＵＥは、符号分割多重化（ＣＤＭ）を使用して、同じ割り振られたサブキャリアまたはサブキャリアのグループ中で多重化される、請求項１１に記載の方法。
【請求項１５】
異なる第１のタイプのＵＥは、異なる拡散シーケンスを使用して復調基準信号シンボル中で多重化される、請求項１１に記載の方法。
【請求項１６】
前記割り振られたリソースを使用して前記第１のタイプのＵＥまたは前記第２のタイプのＵＥによって送信されるサウンディング基準信号（ＳＲＳ）の周りでレートマッチングを実行するために、前記第１のタイプのＵＥのうちの１つまたは複数にシグナリングすることをさらに備える、請求項１１に記載の方法。
【請求項１７】
前記アップリンクリソースは、前記第２のタイプのＵＥに割り振られたアップリンクリソースと同じサブキャリア間隔を用いて割り振られる、請求項１１に記載の方法。
【請求項１８】
前記第１の周波数帯域は前記第２の周波数帯域内にあり、
前記第１のタイプのＵＥのための前記アップリンクリソースは、前記第２のタイプのＵＥに割り振られたアップリンクリソースのために使用されるサイクリックプレフィックスのタイプにかかわらず、ノーマルサイクリックプレフィックスに対して、拡張されたサイクリックプレフィックスを用いて割り振られる、
請求項１１に記載の方法。
【請求項１９】
第１のタイプのユーザ機器（ＵＥ）によるワイヤレス通信のための方法であって、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、前記第２のタイプのＵＥに割り振られたアップリンクリソースと同じシンボル持続時間および同じ時間グラニュラリティを用いて割り振られ、およびシングルサブキャリアが前記第１のタイプのＵＥに割り振られ、
前記割り振られたリソースを使用してアップリンク送信を実行することと、
を備える、方法。
【請求項２０】
前記第１の周波数帯域と前記第２の周波数帯域とは重複しない、請求項１９に記載の方法。
【請求項２１】
前記第１の周波数帯域は前記第２の周波数帯域のガードバンド部分と少なくとも部分的に重複する、請求項１９に記載の方法。
【請求項２２】
異なる第１のタイプのＵＥは、符号分割多重化（ＣＤＭ）を使用して、同じ割り振られたサブキャリアまたはサブキャリアのグループ中で多重化される、請求項１９に記載の方法。
【請求項２３】
異なる第１のタイプのＵＥは、異なる拡散シーケンスを使用して復調基準信号シンボル中で多重化される、請求項１９に記載の方法。
【請求項２４】
基地局から、前記第１のタイプのＵＥが、前記割り振られたリソースを使用して前記第１のタイプのＵＥまたは前記第２のタイプのＵＥによって送信されたサウンディング基準信号（ＳＲＳ）の周りでレートマッチングを実行すべきであることを示すシグナリングを受信することをさらに備える、請求項１９に記載の方法。
【請求項２５】
前記アップリンクリソースは、前記第２のタイプのＵＥに割り振られたアップリンクリソースと同じサブキャリア間隔を用いて割り振られる、請求項１９に記載の方法。
【請求項２６】
前記第１の周波数帯域は前記第２の周波数帯域内にあり、
前記第１のタイプのＵＥのための前記アップリンクリソースは、前記第２のタイプのＵＥに割り振られたアップリンクリソースのために使用されるサイクリックプレフィックスのタイプにかかわらず、ノーマルサイクリックプレフィックスに対して、拡張されたサイクリックプレフィックスを用いて割り振られる、
請求項１９に記載の方法。
【請求項２７】
基地局（ＢＳ）によるワイヤレス通信のための方法であって、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースに対して増加されたシンボル持続時間とより狭いサブキャリア間隔とをもつ狭帯域サブフレーム構造において割り振られ、前記狭帯域サブフレーム構造は、少なくとも２つのタイムスロットを備え、各タイムスロットは、前記第２のタイプのＵＥと通信するために使用されるサブフレーム構造と同じ持続時間を有し、
前記割り振られたリソース上で前記第１のタイプのＵＥからアップリンク送信を受信することと、
を備える、方法。
【請求項２８】
前記第１の周波数帯域と前記第２の周波数帯域とは重複しない、請求項２７に記載の方法。
【請求項２９】
前記第１の周波数帯域は前記第２の周波数帯域のガードバンド部分と少なくとも部分的に重複する、請求項２７に記載の方法。
【請求項３０】
異なる第１のタイプのＵＥは、符号分割多重化（ＣＤＭ）を使用して、同じ割り振られたサブキャリアまたはサブキャリアのグループ中で多重化される、請求項２７に記載の方法。
【請求項３１】
異なる第１のタイプのＵＥは、異なる拡散シーケンスを使用して復調基準信号シンボル中で多重化される、請求項２７に記載の方法。
【請求項３２】
第１のタイプのユーザ機器（ＵＥ）によるワイヤレス通信のための方法であって、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、前記第２のタイプのＵＥに割り振られたアップリンクリソースに対して増加されたシンボル持続時間とより狭いサブキャリア間隔とをもつ狭帯域サブフレーム構造において割り振られ、前記狭帯域サブフレーム構造は、少なくとも２つのタイムスロットを備え、各タイムスロットは、前記第２のタイプのＵＥと通信するために使用されるサブフレーム構造と同じ持続時間を有し、
前記割り振られたリソースを使用してアップリンク送信を実行することと、
を備える、方法。
【請求項３３】
前記第１の周波数帯域と前記第２の周波数帯域とは重複しない、請求項３２に記載の方法。
【請求項３４】
前記第１の周波数帯域は前記第２の周波数帯域のガードバンド部分と少なくとも部分的に重複する、請求項３２に記載の方法。
【請求項３５】
異なる第１のタイプのＵＥは、符号分割多重化（ＣＤＭ）を使用して、同じ割り振られたサブキャリアまたはサブキャリアのグループ中で多重化される、請求項３２に記載の方法。
【請求項３６】
異なる第１のタイプのＵＥは、異なる拡散シーケンスを使用して復調基準信号シンボル中で多重化される、請求項３２に記載の方法。
【請求項３７】
基地局（ＢＳ）によるワイヤレス通信のための方法であって、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースに対して増加されたシンボル持続時間をもつ狭帯域サブフレーム構造において割り振られ、前記狭帯域サブフレーム構造は、少なくとも２つのシンボルを備え、前記第２のタイプのＵＥと通信するために使用されるサブフレーム構造と同じ持続時間を有し、
前記割り振られたリソース上で前記第１のタイプのＵＥからアップリンク送信を受信することと、
を備える、方法。
【請求項３８】
前記第１の周波数帯域と前記第２の周波数帯域とは重複しない、請求項３７に記載の方法。
【請求項３９】
前記第１の周波数帯域は前記第２の周波数帯域のガードバンド部分と少なくとも部分的に重複する、請求項３７に記載の方法。
【請求項４０】
前記狭帯域サブフレーム構造は、スロットごとに１つのシンボルをもつ２つのタイムスロットを備える、請求項３７に記載の方法。
【請求項４１】
前記狭帯域サブフレーム構造は、サブフレームごとの少なくとも２つのシンボルと、前記狭帯域サブフレーム構造の境界を、前記第２のタイプのＵＥと通信するために使用される前記サブフレーム構造の境界と整合させるためのガード期間と、を備える、請求項３７に記載の方法。
【請求項４２】
前記狭帯域サブフレーム構造は、前記第２のタイプのＵＥがサウンディング基準信号（ＳＲＳ）を送信し得る領域中でガード期間を備える、請求項３７に記載の方法。
【請求項４３】
第１のタイプのユーザ機器（ＵＥ）によるワイヤレス通信のための方法であって、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、前記第２のタイプのＵＥに割り振られたアップリンクリソースに対して増加されたシンボル持続時間をもつ狭帯域サブフレーム構造において割り振られ、前記狭帯域サブフレーム構造は、少なくとも２つのシンボルを備え、前記第２のタイプのＵＥと通信するために使用されるサブフレーム構造と同じ持続時間を有し、
前記割り振られたリソースを使用してアップリンク送信を実行することと、
を備える、方法。
【請求項４４】
前記第１の周波数帯域と前記第２の周波数帯域とは重複しない、請求項４３に記載の方法。
【請求項４５】
前記第１の周波数帯域は前記第２の周波数帯域のガードバンド部分と少なくとも部分的に重複する、請求項４３に記載の方法。
【請求項４６】
前記狭帯域サブフレーム構造は、スロットごとに１つのシンボルをもつ２つのタイムスロットを備える、請求項４３に記載の方法。
【請求項４７】
前記狭帯域サブフレーム構造は、サブフレームごとの少なくとも２つのシンボルと、前記狭帯域サブフレーム構造の境界を、前記第２のタイプのＵＥと通信するために使用される前記サブフレーム構造の境界と整合させるためのガード期間と、を備える、請求項４３に記載の方法。
【請求項４８】
前記狭帯域サブフレーム構造は、前記第２のタイプのＵＥがサウンディング基準信号（ＳＲＳ）を送信し得る領域中でガード期間を備える、請求項４３に記載の方法。
【請求項４９】
基地局（ＢＳ）によるワイヤレス通信のための方法であって、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、少なくとも部分的に、前記第２の周波数帯域を使用する前記ＢＳと前記第２のタイプのＵＥとの間の通信の特性に関して決定される、シンボル持続時間を有する狭帯域サブフレーム構造において割り振られ、
前記割り振られたリソース上で前記第１のタイプのＵＥからアップリンク送信を受信することと、
を備える、方法。
【請求項５０】
前記第１の周波数帯域と前記第２の周波数帯域とは重複しない、請求項４９に記載の方法。
【請求項５１】
前記第１の周波数帯域は前記第２の周波数帯域のガードバンド部分と少なくとも部分的に重複する、請求項４９に記載の方法。
【請求項５２】
前記特性は、前記第２の周波数帯域を使用する前記ＢＳと前記第２のタイプのＵＥとの間の通信のために、時分割複信（ＴＤＤ）が使用されるのか、周波数分割複信（ＦＤＤ）が使用されるのかを備える、請求項４９に記載の方法。
【請求項５３】
前記特性は、前記第２の周波数帯域を使用する前記ＢＳと前記第２のタイプのＵＥとの間の通信のために、ノーマルサイクリックプレフィックス（ＣＰ）が使用されるのか、拡張サイクリックプレフィックスが使用されるのかを備える、請求項４９に記載の方法。
【請求項５４】
前記特性は、前記第１の周波数帯域が前記第２の周波数帯域内に位置するかどうかを備える、請求項４９に記載の方法。
【請求項５５】
前記特性は、サウンディング基準信号（ＳＲＳ）が所与のサブフレーム中に存在するかどうかを備える、請求項４９に記載の方法。
【請求項５６】
前記狭帯域サブフレーム構造は、ＳＲＳが前記所与のサブフレーム中に存在しない場合、スロットごとに１つのシンボルをもつ２つのタイムスロットを備える、請求項５５に記載の方法。
【請求項５７】
前記狭帯域サブフレーム構造は、ＳＲＳが前記所与のサブフレーム中に存在する場合、サブフレームごとの少なくとも２つのシンボルと、前記狭帯域サブフレーム構造の境界を、前記第２のタイプのＵＥと通信するために使用される前記サブフレーム構造の境界と整合させるためのガード期間と、を備える、
請求項５５に記載の方法。
【請求項５８】
前記特性は、前記第２の周波数帯域を使用する前記ＢＳと前記第２のタイプのＵＥとの間の通信のために使用される時分割複信（ＴＤＤ）構成を備える、請求項４９に記載の方法。
【請求項５９】
前記狭帯域サブフレーム構造における第１のスロットのために第１のシンボル持続時間が選択され、前記狭帯域サブフレーム構造における第２のスロットのために第２のシンボル持続時間が選択される、請求項５８に記載の方法。
【請求項６０】
前記第１のシンボル持続時間と前記第２のシンボル持続時間とは、前記ＴＤＤ構成におけるアップリンクサブフレームの数に基づいて選択される、請求項５９に記載の方法。
【請求項６１】
第１のタイプのユーザ機器（ＵＥ）によるワイヤレス通信のための方法であって、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、少なくとも部分的に、前記第２の周波数帯域を使用する前記ＢＳと前記第２のタイプのＵＥとの間の通信の特性に関して決定される、シンボル持続時間を有する狭帯域サブフレーム構造において割り振られ、
前記割り振られたリソースを使用してアップリンク送信を実行することと、
を備える、方法。
【請求項６２】
前記第１の周波数帯域と前記第２の周波数帯域とは重複しない、請求項６１に記載の方法。
【請求項６３】
前記第１の周波数帯域は前記第２の周波数帯域のガードバンド部分と少なくとも部分的に重複する、請求項６１に記載の方法。
【請求項６４】
前記特性は、前記第２の周波数帯域を使用する前記ＢＳと前記第２のタイプのＵＥとの間の通信のために、時分割複信（ＴＤＤ）が使用されるのか、周波数分割複信（ＦＤＤ）が使用されるのかを備える、請求項６１に記載の方法。
【請求項６５】
前記特性は、前記第２の周波数帯域を使用する前記ＢＳと前記第２のタイプのＵＥとの間の通信のために、ノーマルサイクリックプレフィックス（ＣＰ）が使用されるのか、拡張サイクリックプレフィックスが使用されるのかを備える、請求項６１に記載の方法。
【請求項６６】
前記特性は、前記第１の周波数帯域が前記第２の周波数帯域内に位置するかどうかを備える、請求項６１に記載の方法。
【請求項６７】
前記特性は、サウンディング基準信号（ＳＲＳ）が所与のサブフレーム中に存在するかどうかを備える、請求項６１に記載の方法。
【請求項６８】
前記狭帯域サブフレーム構造は、ＳＲＳが前記所与のサブフレーム中に存在しない場合、スロットごとに１つのシンボルをもつ２つのタイムスロットを備える、請求項６７に記載の方法。
【請求項６９】
前記狭帯域サブフレーム構造は、ＳＲＳが前記所与のサブフレーム中に存在する場合、サブフレームごとの少なくとも２つのシンボルと、前記狭帯域サブフレーム構造の境界を、前記第２のタイプのＵＥと通信するために使用される前記サブフレーム構造の境界と整合させるためのガード期間と、を備える、
請求項６７に記載の方法。
【請求項７０】
前記特性が、前記第２の周波数帯域を使用する前記ＢＳと前記第２のタイプのＵＥとの間の通信のために使用される時分割複信（ＴＤＤ）構成を備える、請求項６１に記載の方法。
【請求項７１】
前記狭帯域サブフレーム構造における第１のスロットのために第１のシンボル持続時間が選択され、前記狭帯域サブフレーム構造における第２のスロットのために第２のシンボル持続時間が選択される、請求項７０に記載の方法。
【請求項７２】
前記第１のシンボル持続時間と前記第２のシンボル持続時間とは、前記ＴＤＤ構成におけるアップリンクサブフレームの数に基づいて選択される、請求項７１に記載の方法。
【請求項７３】
基地局（ＢＳ）によるワイヤレス通信のための装置であって、
少なくとも１つのプロセッサと、前記少なくとも１つのプロセッサは、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースに対して増加されたシンボル持続時間をもつ狭帯域サブフレーム構造において割り振られ、前記狭帯域サブフレーム構造におけるシンボルは、前記第２のタイプのＵＥと通信するために使用される複数のサブフレーム構造のセットの境界と整合され、
前記割り振られたリソース上で前記第１のタイプのＵＥからアップリンク送信を受信することと、
を行うように構成され、
前記少なくとも１つのプロセッサと結合されたメモリと、
を備える、装置。
【請求項７４】
ユーザ機器（ＵＥ）によるワイヤレス通信のための装置であって、
少なくとも１つのプロセッサと、前記少なくとも１つのプロセッサは、
基地局（ＢＳ）から、前記基地局と通信するために第２のタイプのＵＥによって使用される第２の周波数帯域よりも狭い第１の周波数帯域上で前記基地局との通信のためのアップリンクリソースの割振りを受信することと、ここで、前記アップリンクリソースは、少なくとも部分的に、前記第２の周波数帯域を使用する前記ＢＳと前記第２のタイプのＵＥとの間の通信の特性に関して決定される、シンボル持続時間を有する狭帯域サブフレーム構造において割り振られ、
前記割り振られたリソース上でアップリンク送信を実行することと、
を行うように構成され、
前記少なくとも１つのプロセッサと結合されたメモリと、
を備える、装置。
【請求項７５】
基地局（ＢＳ）によるワイヤレス通信のための装置であって、
少なくとも１つのプロセッサと、前記少なくとも１つのプロセッサは、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースと同じシンボル持続時間および同じ時間グラニュラリティを用いて割り振られ、およびシングルサブキャリアが前記第１のタイプのＵＥに割り振られ、
前記割り振られたリソース上で前記第１のタイプのＵＥからアップリンク送信を受信することと、
を行うように構成され、
前記少なくとも１つのプロセッサと結合されたメモリと、
を備える、装置。
【請求項７６】
ユーザ機器（ＵＥ）によるワイヤレス通信のための装置であって、
少なくとも１つのプロセッサと、前記少なくとも１つのプロセッサは、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、前記第２のタイプのＵＥに割り振られたアップリンクリソースと同じシンボル持続時間および同じ時間グラニュラリティを用いて割り振られ、およびシングルサブキャリアが前記第１のタイプのＵＥに割り振られ、
前記割り振られたリソースを使用してアップリンク送信を実行することと、
を行うように構成され、
前記少なくとも１つのプロセッサと結合されたメモリと、
を備える、装置。
【請求項７７】
基地局（ＢＳ）によるワイヤレス通信のための装置であって、
少なくとも１つのプロセッサと、前記少なくとも１つのプロセッサは、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースに対して増加されたシンボル持続時間とより狭いサブキャリア間隔とをもつ狭帯域サブフレーム構造において割り振られ、前記狭帯域サブフレーム構造は、少なくとも２つのタイムスロットを備え、各タイムスロットは、前記第２のタイプのＵＥと通信するために使用されるサブフレーム構造と同じ持続時間を有し、
前記割り振られたリソース上で前記第１のタイプのＵＥからアップリンク送信を受信することと、
を行うように構成され、
前記少なくとも１つのプロセッサと結合されたメモリと、
を備える、装置。
【請求項７８】
ユーザ機器（ＵＥ）によるワイヤレス通信のための装置であって、
少なくとも１つのプロセッサと、前記少なくとも１つのプロセッサは、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、前記第２のタイプのＵＥに割り振られたアップリンクリソースに対して増加されたシンボル持続時間とより狭いサブキャリア間隔とをもつ狭帯域サブフレーム構造において割り振られ、前記狭帯域サブフレーム構造は、少なくとも２つのタイムスロットを備え、各タイムスロットは、前記第２のタイプのＵＥと通信するために使用されるサブフレーム構造と同じ持続時間を有し、
前記割り振られたリソースを使用してアップリンク送信を実行することと、
を行うように構成され、
前記少なくとも１つのプロセッサと結合されたメモリと、
を備える、装置。
【請求項７９】
基地局（ＢＳ）によるワイヤレス通信のための装置であって、
少なくとも１つのプロセッサと、前記少なくとも１つのプロセッサは、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースに対して増加されたシンボル持続時間をもつ狭帯域サブフレーム構造において割り振られ、前記狭帯域サブフレーム構造は、少なくとも２つのシンボルを備え、前記第２のタイプのＵＥと通信するために使用されるサブフレーム構造と同じ持続時間を有し、
前記割り振られたリソース上で前記第１のタイプのＵＥからアップリンク送信を受信することと、
を行うように構成され、
前記少なくとも１つのプロセッサと結合されたメモリと、
を備える、装置。
【請求項８０】
ユーザ機器（ＵＥ）によるワイヤレス通信のための装置であって、
少なくとも１つのプロセッサと、前記少なくとも１つのプロセッサは、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、前記第２のタイプのＵＥに割り振られたアップリンクリソースに対して増加されたシンボル持続時間をもつ狭帯域サブフレーム構造において割り振られ、前記狭帯域サブフレーム構造は、少なくとも２つのシンボルを備え、前記第２のタイプのＵＥと通信するために使用されるサブフレーム構造と同じ持続時間を有し、
前記割り振られたリソースを使用してアップリンク送信を実行することと、
を行うように構成され、
前記少なくとも１つのプロセッサと結合されたメモリと、
を備える、装置。
【請求項８１】
基地局（ＢＳ）によるワイヤレス通信のための装置であって、
少なくとも１つのプロセッサと、前記少なくとも１つのプロセッサは、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、少なくとも部分的に、前記第２の周波数帯域を使用する前記ＢＳと前記第２のタイプのＵＥとの間の通信の特性に関して決定される、シンボル持続時間を有する狭帯域サブフレーム構造において割り振られ、
前記割り振られたリソース上で前記第１のタイプのＵＥからアップリンク送信を受信することと、
を行うように構成され、
前記少なくとも１つのプロセッサと結合されたメモリと、
を備える、装置。
【請求項８２】
ユーザ機器（ＵＥ）によるワイヤレス通信のための装置であって、
少なくとも１つのプロセッサと、前記少なくとも１つのプロセッサは、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、少なくとも部分的に、前記第２の周波数帯域を使用する前記ＢＳと前記第２のタイプのＵＥとの間の通信の特性に関して決定される、シンボル持続時間を有する狭帯域サブフレーム構造において割り振られ、
前記割り振られたリソースを使用してアップリンク送信を実行することと、
を行うように構成され、
前記少なくとも１つのプロセッサと結合されたメモリと、
を備える、装置。
【発明の詳細な説明】
【優先権の主張】
【０００１】
関連出願の相互参照
本出願は、それらのすべてが本出願の譲受人に譲渡され、その全体が参照により本明細書に組み込まれる、２０１５年９月３日に出願された米国仮特許出願第６２／２１４，１６５号、２０１５年９月２５日に出願された米国仮特許出願第６２／２３２，６３４号、および２０１６年７月１３日に出願された米国特許出願第１５／２０９，５０５号の優先権の利益を主張する。
【技術分野】
【０００２】
本開示のいくつかの態様は、一般にワイヤレス通信に関し、より詳細には、他のＵＥに対して狭い帯域上で動作するＵＥによって使用されるアップリンクリソースに関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標）：3rd Generation Partnership Project）ロングタームエボリューション（ＬＴＥ（登録商標）：Long Term Evolution）／ＬＴＥアドバンストシステムおよび直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
[0005]ワイヤレス通信ネットワークは、いくつかのワイヤレスデバイスのための通信をサポートすることができるいくつかの基地局を含み得る。ワイヤレスデバイスはユーザ機器（ＵＥ）を含み得る。ＵＥのいくつかの例としては、セルラーフォン、スマートフォン、携帯情報端末（ＰＤＡ）、ワイヤレスモデム、ハンドヘルドデバイス、タブレット、ラップトップコンピュータ、ネットブック、スマートブック、ウルトラブックなどがあり得る。いくつかのＵＥは、基地局、別のリモートデバイス、または何らかの他のエンティティと通信し得る、センサー、メーター、ロケーションタグなどのリモートデバイスを含み得る、マシンタイプ通信（ＭＴＣ：machine-type communication）ＵＥと見なされ得る。マシンタイプ通信（ＭＴＣ）は、通信の少なくとも１つの端部上の少なくとも１つのリモートデバイスに関与する通信を指すことがあり、必ずしも人間の対話を必要とするとは限らない１つまたは複数のエンティティを伴うデータ通信の形態を含み得る。ＭＴＣ  ＵＥは、たとえば、パブリックランドモバイルネットワーク（ＰＬＭＮ）を介した、ＭＴＣサーバおよび／または他のＭＴＣデバイスとのＭＴＣ通信が可能であるＵＥを含み得る。
【発明の概要】
【０００６】
[0006]本開示のいくつかの態様は、基地局（ＢＳ）によるワイヤレス通信のための方法を提供する。本方法は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振ること、ここにおいて、アップリンクリソースが、少なくとも部分的に、第２の周波数帯域を使用するＢＳと第２のタイプのＵＥとの間の通信の特性に関して決定される、シンボル持続時間を有する狭帯域サブフレーム構造において割り振られ、と、割り振られたリソース上で第１のタイプのＵＥからアップリンク送信を受信することと、を含む。
【０００７】
[0007]本開示のいくつかの態様は、基地局によるワイヤレス通信のための装置を提供する。本装置は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振るように構成された処理システム、ここにおいて、アップリンクリソースが、少なくとも部分的に、第２の周波数帯域を使用するＢＳと第２のタイプのＵＥとの間の通信の特性に関して決定される、シンボル持続時間を有する狭帯域サブフレーム構造において割り振られ、と、割り振られたリソース上で第１のタイプのＵＥからアップリンク送信を受信するように構成された受信機と、
を含む。
【０００８】
[0008]本開示のいくつかの態様は、基地局によるワイヤレス通信のための装置を提供する。本装置は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振るための手段、ここにおいて、アップリンクリソースが、少なくとも部分的に、第２の周波数帯域を使用するＢＳと第２のタイプのＵＥとの間の通信の特性に関して決定される、シンボル持続時間を有する狭帯域サブフレーム構造において割り振られ、と、割り振られたリソース上で第１のタイプのＵＥからアップリンク送信を受信するための手段と、を含む。
【０００９】
[0009]本開示のいくつかの態様は、基地局によるワイヤレス通信のためのコンピュータ可読媒体を提供する。本コンピュータ可読媒体は、概して、その上に記憶された命令を有し、命令は、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振ること、ここにおいて、アップリンクリソースが、少なくとも部分的に、第２の周波数帯域を使用するＢＳと第２のタイプのＵＥとの間の通信の特性に関して決定される、シンボル持続時間を有する狭帯域サブフレーム構造において割り振られ、と、割り振られたリソース上で第１のタイプのＵＥからアップリンク送信を受信することと、を行うために１つまたは複数のプロセッサによって実行可能である。
【００１０】
[0010]本開示のいくつかの態様は、ユーザ機器（ＵＥ）によるワイヤレス通信のための方法を提供する。本方法は、概して、基地局（ＢＳ）から、基地局と通信するために第２のタイプのＵＥによって使用される第２の周波数帯域よりも狭い第１の周波数帯域上で基地局との通信のためのアップリンクリソースの割振りを受信すること、ここにおいて、アップリンクリソースが、少なくとも部分的に、第２の周波数帯域を使用するＢＳと第２のタイプのＵＥとの間の通信の特性に関して決定される、シンボル持続時間を有する狭帯域サブフレーム構造において割り振られ、と、割り振られたリソース上でアップリンク送信を実行することと、を含む。
【００１１】
[0011]本開示のいくつかの態様は、ユーザ機器（ＵＥ）によるワイヤレス通信のための装置を提供する。本装置は、概して、基地局（ＢＳ）から、基地局と通信するために第２のタイプのＵＥによって使用される第２の周波数帯域よりも狭い第１の周波数帯域上で基地局との通信のためのアップリンクリソースの割振りを受信するように構成された受信機、ここにおいて、アップリンクリソースが、少なくとも部分的に、第２の周波数帯域を使用するＢＳと第２のタイプのＵＥとの間の通信の特性に関して決定される、シンボル持続時間を有する狭帯域サブフレーム構造において割り振られ、と、割り振られたリソース上でアップリンク送信を実行するように構成された送信機と、を含む。
【００１２】
[0012]本開示のいくつかの態様は、ユーザ機器（ＵＥ）によるワイヤレス通信のための装置を提供する。本装置は、概して、基地局と通信するために第２のタイプのＵＥによって使用される第２の周波数帯域よりも狭い第１の周波数帯域上で基地局との通信のためのアップリンクリソースの割振りを受信するための手段、ここにおいて、アップリンクリソースが、少なくとも部分的に、第２の周波数帯域を使用するＢＳと第２のタイプのＵＥとの間の通信の特性に関して決定される、シンボル持続時間を有する狭帯域サブフレーム構造において割り振られ、と、割り振られたリソース上でアップリンク送信を実行するための手段とを含む。
【００１３】
[0013]本開示のいくつかの態様は、ユーザ機器（ＵＥ）によるワイヤレス通信のためのコンピュータ可読媒体を提供する。本コンピュータ可読媒体は、概して、その上に記憶された命令を含み、命令は、基地局（ＢＳ）から、基地局と通信するために第２のタイプのＵＥによって使用される第２の周波数帯域よりも狭い第１の周波数帯域上で基地局との通信のためのアップリンクリソースの割振りを受信すること、ここにおいて、アップリンクリソースが、少なくとも部分的に、第２の周波数帯域を使用するＢＳと第２のタイプのＵＥとの間の通信の特性に関して決定される、シンボル持続時間を有する狭帯域サブフレーム構造において割り振られ、と、割り振られたリソース上でアップリンク送信を実行することと、を行うために１つまたは複数のプロセッサによって実行可能である。
【００１４】
[0014]本開示のいくつかの態様は、基地局（ＢＳ）によるワイヤレス通信のための方法を提供する。本方法は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振ること、ここにおいて、アップリンクリソースが、第２のタイプのＵＥに割り振られたアップリンクリソースと同じシンボル持続時間および同じ時間グラニュラリティを用いて、ならびに第１のタイプのＵＥに割り振られるシングルサブキャリアを用いて割り振られ、と、割り振られたリソース上で第１のタイプのＵＥからアップリンク送信を受信することと、を含む。
【００１５】
[0015]本開示のいくつかの態様は、基地局（ＢＳ）によるワイヤレス通信のための装置を提供する。本装置は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振るように構成された処理システム、ここにおいて、アップリンクリソースが、第２のタイプのＵＥに割り振られたアップリンクリソースと同じシンボル持続時間および同じ時間グラニュラリティを用いて、ならびに第１のタイプのＵＥに割り振られたシングルサブキャリアを用いて、割り振られ、と、割り振られたリソース上で第１のタイプのＵＥからアップリンク送信を受信するように構成された受信機と、を含む。
【００１６】
[0016]本開示のいくつかの態様は、基地局（ＢＳ）によるワイヤレス通信のための装置を提供する。本装置は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振るための手段、ここにおいて、アップリンクリソースが、第２のタイプのＵＥに割り振られたアップリンクリソースと同じシンボル持続時間および同じ時間グラニュラリティを用いて、ならびに第１のタイプのＵＥに割り振られたシングルサブキャリアを用いて、割り振られ、と、割り振られたリソース上で第１のタイプのＵＥからアップリンク送信を受信するための手段と、を含む。
【００１７】
[0017]本開示のいくつかの態様は、基地局（ＢＳ）によるワイヤレス通信のためのコンピュータ可読媒体を提供する。本コンピュータ可読媒体は、概して、その上に記憶された命令を含み、命令は、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振ること、ここにおいて、アップリンクリソースが、第２のタイプのＵＥに割り振られたアップリンクリソースと同じシンボル持続時間および同じ時間グラニュラリティを用いて、ならびに第１のタイプのＵＥに割り振られたシングルサブキャリアを用いて割り振られ、と、割り振られたリソース上で第１のタイプのＵＥからアップリンク送信を受信することと、を行うために１つまたは複数のプロセッサによって実行可能である。
【００１８】
[0018]本開示のいくつかの態様は、第１のタイプのユーザ機器（ＵＥ）によるワイヤレス通信のための方法を提供する。本方法は、概して、基地局から、基地局と通信するために第２のタイプのＵＥによって使用される第２の周波数帯域よりも狭い第１の周波数帯域上で基地局との通信のためのアップリンクリソース割振りを受信すること、ここにおいて、割り振られたリソースが、第２のタイプのＵＥに割り振られたアップリンクリソースと同じシンボル持続時間および同じ時間グラニュラリティを有し、第１のタイプのＵＥに割り振られたシングルサブキャリアをもち、と、割り振られたリソース上でアップリンク送信を実行することと、を含む。
【００１９】
[0019]本開示のいくつかの態様は、第１のタイプのユーザ機器（ＵＥ）によるワイヤレス通信のための装置を提供する。本装置は、概して、基地局から、基地局と通信するために第２のタイプのＵＥによって使用される第２の周波数帯域よりも狭い第１の周波数帯域上で基地局との通信のためのアップリンクリソース割振りを受信するように構成された受信機、ここにおいて、割り振られたリソースが、第２のタイプのＵＥに割り振られたアップリンクリソースと同じシンボル持続時間および同じ時間グラニュラリティを有し、第１のタイプのＵＥに割り振られたシングルサブキャリアをもち、と、割り振られたリソース上でアップリンク送信を実行するように構成された送信機と、を含む。
【００２０】
[0020]本開示のいくつかの態様は、第１のタイプのユーザ機器（ＵＥ）によるワイヤレス通信のための装置を提供する。本装置は、概して、基地局から、基地局と通信するために第２のタイプのＵＥによって使用される第２の周波数帯域よりも狭い第１の周波数帯域上で基地局との通信のためのアップリンクリソース割振りを受信するための手段、ここにおいて、割り振られたリソースが、第２のタイプのＵＥに割り振られたアップリンクリソースと同じシンボル持続時間および同じ時間グラニュラリティを有し、シングルサブキャリアが第１のタイプのＵＥに割り振られ、と、割り振られたリソース上でアップリンク送信を実行するための手段とを含む。
【００２１】
[0021]本開示のいくつかの態様は、第１のタイプのユーザ機器（ＵＥ）によるワイヤレス通信のためのコンピュータ可読媒体を提供する。本コンピュータ可読媒体は、概して、その上に記憶された命令を含み、命令は、基地局から、基地局と通信するために第２のタイプのＵＥによって使用される第２の周波数帯域よりも狭い第１の周波数帯域上で基地局との通信のためのアップリンクリソース割振りを受信すること、ここにおいて、割り振られたリソースが、第２のタイプのＵＥに割り振られたアップリンクリソースと同じシンボル持続時間および同じ時間グラニュラリティを有し、第１のタイプのＵＥに割り振られたシングルサブキャリアをもち、と、割り振られたリソース上でアップリンク送信を実行することと、を行うために１つまたは複数のプロセッサによって実行可能である。
【００２２】
[0022]本開示のいくつかの態様は、基地局（ＢＳ）によるワイヤレス通信のための方法を提供する。本方法は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振ること、ここにおいて、アップリンクリソースが、第２のタイプのＵＥに割り振られたアップリンクリソースに対して増加されたシンボル持続時間とより狭いサブキャリア間隔とをもつ狭帯域サブフレーム構造において割り振られ、ここにおいて、狭帯域サブフレーム構造が、少なくとも２つのタイムスロットを備え、各々が、第２のタイプのＵＥと通信するために使用されるサブフレーム構造と同じ持続時間を有し、と、割り振られたリソース上で第１のタイプのＵＥからアップリンク送信を受信することと、を含む。
【００２３】
[0023]本開示のいくつかの態様は、基地局（ＢＳ）によるワイヤレス通信のための装置を提供する。本装置は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振るように構成された処理システム、ここにおいて、アップリンクリソースが、第２のタイプのＵＥに割り振られたアップリンクリソースに対して増加されたシンボル持続時間とより狭いサブキャリア間隔とをもつ狭帯域サブフレーム構造において割り振られ、ここにおいて、狭帯域サブフレーム構造が、少なくとも２つのタイムスロットを備え、各々が、第２のタイプのＵＥと通信するために使用されるサブフレーム構造と同じ持続時間を有し、と、割り振られたリソース上で第１のタイプのＵＥからアップリンク送信を受信するように構成された受信機と、を含む。
【００２４】
[0024]本開示のいくつかの態様は、基地局（ＢＳ）によるワイヤレス通信のための装置を提供する。本装置は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振るための手段、ここにおいて、アップリンクリソースが、第２のタイプのＵＥに割り振られたアップリンクリソースに対して増加されたシンボル持続時間とより狭いサブキャリア間隔とをもつ狭帯域サブフレーム構造において割り振られ、ここにおいて、狭帯域サブフレーム構造が、少なくとも２つのタイムスロットを備え、各々が、第２のタイプのＵＥと通信するために使用されるサブフレーム構造と同じ持続時間を有し、と、割り振られたリソース上で第１のタイプのＵＥからアップリンク送信を受信するための手段と、を含む。
【００２５】
[0025]本開示のいくつかの態様は、基地局（ＢＳ）によるワイヤレス通信のためのコンピュータ可読媒体を提供する。本コンピュータ可読媒体は、概して、その上に記憶された命令を含み、命令は、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振ること、ここにおいて、アップリンクリソースが、第２のタイプのＵＥに割り振られたアップリンクリソースに対して増加されたシンボル持続時間とより狭いサブキャリア間隔とをもつ狭帯域サブフレーム構造において割り振られ、ここにおいて、狭帯域サブフレーム構造が、少なくとも２つのタイムスロットを備え、各々が、第２のタイプのＵＥと通信するために使用されるサブフレーム構造と同じ持続時間を有し、と、割り振られたリソース上で第１のタイプのＵＥからアップリンク送信を受信することと、を行うために１つまたは複数のプロセッサによって実行可能である。
【００２６】
[0026]本開示のいくつかの態様は、第１のタイプのユーザ機器（ＵＥ）によるワイヤレス通信のための方法を提供する。本方法は、概して、基地局から、基地局と通信するために第２のタイプのＵＥによって使用される第２の周波数帯域よりも狭い第１の周波数帯域上での基地局との通信のためのアップリンクリソース割振りを受信すること、ここにおいて、アップリンクリソースが、第２のタイプのＵＥに割り振られたアップリンクリソースに対して増加されたシンボル持続時間とより狭いサブキャリア間隔とをもつ狭帯域サブフレーム構造において割り振られ、ここにおいて、狭帯域サブフレーム構造は、各々が、第２のタイプのＵＥと通信するために使用されるサブフレーム構造と同じ持続時間を有する、少なくとも２つのタイムスロットを備え、と、割り振られたリソース上でアップリンク送信を実行することと、を含む。
【００２７】
[0027]本開示のいくつかの態様は、第１のタイプのユーザ機器（ＵＥ）によるワイヤレス通信のための装置を提供する。本装置は、概して、基地局から、基地局と通信するために第２のタイプのＵＥによって使用される第２の周波数帯域よりも狭い第１の周波数帯域上での基地局との通信のためのアップリンクリソース割振りを受信するように構成された受信機、ここにおいて、アップリンクリソースが、第２のタイプのＵＥに割り振られたアップリンクリソースに対して増加されたシンボル持続時間とより狭いサブキャリア間隔とをもつ狭帯域サブフレーム構造において割り振られ、ここにおいて、狭帯域サブフレーム構造は、各々が、第２のタイプのＵＥと通信するために使用されるサブフレーム構造と同じ持続時間を有する、少なくとも２つのタイムスロットを備え、と、割り振られたリソース上でアップリンク送信を実行するように構成された送信機と、を含む。
【００２８】
[0028]本開示のいくつかの態様は、第１のタイプのユーザ機器（ＵＥ）によるワイヤレス通信のための装置を提供する。本装置は、概して、基地局から、基地局と通信するために第２のタイプのＵＥによって使用される第２の周波数帯域よりも狭い第１の周波数帯域上での基地局との通信のためのアップリンクリソース割振りを受信するための手段、ここにおいて、アップリンクリソースが、第２のタイプのＵＥに割り振られたアップリンクリソースに対して増加されたシンボル持続時間とより狭いサブキャリア間隔とをもつ狭帯域サブフレーム構造において割り振られ、ここにおいて、狭帯域サブフレーム構造は、各々が、第２のタイプのＵＥと通信するために使用されるサブフレーム構造と同じ持続時間を有する、少なくとも２つのタイムスロットを備え、と、割り振られたリソース上でアップリンク送信を実行するための手段と、を含む。
【００２９】
[0029]本開示のいくつかの態様は、第１のタイプのユーザ機器（ＵＥ）によるワイヤレス通信のためのコンピュータ可読媒体を提供する。本コンピュータ可読媒体は、概して、その上に記憶された命令を含み、命令は、基地局から、基地局と通信するために第２のタイプのＵＥによって使用される第２の周波数帯域よりも狭い第１の周波数帯域上での基地局との通信のためのアップリンクリソース割振りを受信すること、ここにおいて、アップリンクリソースが、第２のタイプのＵＥに割り振られたアップリンクリソースに対して増加されたシンボル持続時間とより狭いサブキャリア間隔とをもつ狭帯域サブフレーム構造において割り振られ、ここにおいて、狭帯域サブフレーム構造は、各々が、第２のタイプのＵＥと通信するために使用されるサブフレーム構造と同じ持続時間を有する、少なくとも２つのタイムスロットを備え、と、割り振られたリソース上でアップリンク送信を実行することと、を行うために１つまたは複数のプロセッサによって実行可能である。
【００３０】
[0030]本開示のいくつかの態様は、基地局（ＢＳ）によるワイヤレス通信のための方法を提供する。本方法は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振ること、ここにおいて、アップリンクリソースが、第２のタイプのＵＥに割り振られたアップリンクリソースに対して増加されたシンボル持続時間をもつ狭帯域サブフレーム構造において割り振られ、ここにおいて、狭帯域サブフレーム構造は、少なくとも２つのシンボルを備え、第２のタイプのＵＥと通信するために使用されるサブフレーム構造と同じ持続時間を有する、と、割り振られたリソース上で第１のタイプのＵＥからアップリンク送信を受信することと、を含む。
【００３１】
[0031]本開示のいくつかの態様は、基地局（ＢＳ）によるワイヤレス通信のための装置を提供する。本装置は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振るように構成された処理システム、ここにおいて、アップリンクリソースが、第２のタイプのＵＥに割り振られたアップリンクリソースに対して増加されたシンボル持続時間をもつ狭帯域サブフレーム構造において割り振られ、ここにおいて、狭帯域サブフレーム構造は、少なくとも２つのシンボルを備え、第２のタイプのＵＥと通信するために使用されるサブフレーム構造と同じ持続時間を有し、と、割り振られたリソース上で第１のタイプのＵＥからアップリンク送信を受信するように構成された受信機と、を含む。
【００３２】
[0032]本開示のいくつかの態様は、基地局（ＢＳ）によるワイヤレス通信のための装置を提供する。本装置は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振るための手段、ここにおいて、アップリンクリソースが、第２のタイプのＵＥに割り振られたアップリンクリソースに対して増加されたシンボル持続時間をもつ狭帯域サブフレーム構造において割り振られ、ここにおいて、狭帯域サブフレーム構造は、少なくとも２つのシンボルを備え、第２のタイプのＵＥと通信するために使用されるサブフレーム構造と同じ持続時間を有し、と、割り振られたリソース上で第１のタイプのＵＥからアップリンク送信を受信するための手段と、を含む。
【００３３】
[0033]本開示のいくつかの態様は、基地局（ＢＳ）によるワイヤレス通信のためのコンピュータ可読媒体を提供する。本コンピュータ可読媒体は、概して、その上に記憶された命令を含み、命令は、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振ること、ここにおいて、アップリンクリソースが、第２のタイプのＵＥに割り振られたアップリンクリソースに対して増加されたシンボル持続時間をもつ狭帯域サブフレーム構造において割り振られ、ここにおいて、狭帯域サブフレーム構造は、少なくとも２つのシンボルを備え、第２のタイプのＵＥと通信するために使用されるサブフレーム構造と同じ持続時間を有し、と、割り振られたリソース上で第１のタイプのＵＥからアップリンク送信を受信することと、を行うために１つまたは複数のプロセッサによって実行可能である。
【００３４】
[0034]本開示のいくつかの態様は、第１のタイプのユーザ機器（ＵＥ）によるワイヤレス通信のための方法を提供する。本方法は、概して、基地局から、基地局と通信するために第２のタイプのＵＥによって使用される第２の周波数帯域よりも狭い第１の周波数帯域上での基地局との通信のためのアップリンクリソースの割振りを受信すること、ここにおいて、アップリンクリソースが、第２のタイプのＵＥに割り振られたアップリンクリソースに対して増加されたシンボル持続時間をもつ狭帯域サブフレーム構造において割り振られ、ここにおいて、狭帯域サブフレーム構造は、少なくとも２つのシンボルを備え、第２のタイプのＵＥと通信するために使用されるサブフレーム構造と同じ持続時間を有し、と、割り振られたリソース上でアップリンク送信を実行することと、を含む。
【００３５】
[0035]本開示のいくつかの態様は、第１のタイプのユーザ機器（ＵＥ）によるワイヤレス通信のための装置を提供する。本装置は、概して、基地局から、基地局と通信するために第２のタイプのＵＥによって使用される第２の周波数帯域よりも狭い第１の周波数帯域上での基地局との通信のためのアップリンクリソースの割振りを受信するように構成された受信機、ここにおいて、アップリンクリソースが、第２のタイプのＵＥに割り振られたアップリンクリソースに対して増加されたシンボル持続時間をもつ狭帯域サブフレーム構造において割り振られ、ここにおいて、狭帯域サブフレーム構造は、少なくとも２つのシンボルを備え、第２のタイプのＵＥと通信するために使用されるサブフレーム構造と同じ持続時間を有し、と、割り振られたリソース上でアップリンク送信を実行するように構成された送信機と、を含む。
【００３６】
[0036]本開示のいくつかの態様は、第１のタイプのユーザ機器（ＵＥ）によるワイヤレス通信のための装置を提供する。本装置は、概して、基地局から、基地局と通信するために第２のタイプのＵＥによって使用される第２の周波数帯域よりも狭い第１の周波数帯域上での基地局との通信のためのアップリンクリソースの割振りを受信するための手段、ここにおいて、アップリンクリソースが、第２のタイプのＵＥに割り振られたアップリンクリソースに対して増加されたシンボル持続時間をもつ狭帯域サブフレーム構造において割り振られ、ここにおいて、狭帯域サブフレーム構造は、少なくとも２つのシンボルを備え、第２のタイプのＵＥと通信するために使用されるサブフレーム構造と同じ持続時間を有し、と、割り振られたリソース上でアップリンク送信を実行するための手段と、を含む。
【００３７】
[0037]本開示のいくつかの態様は、第１のタイプのユーザ機器（ＵＥ）によるワイヤレス通信のためのコンピュータ可読媒体を提供する。本コンピュータ可読媒体は、概して、その上に記憶された命令を含み、命令は、基地局から、基地局と通信するために第２のタイプのＵＥによって使用される第２の周波数帯域よりも狭い第１の周波数帯域上での基地局との通信のためのアップリンクリソースの割振りを受信すること、ここにおいて、アップリンクリソースが、第２のタイプのＵＥに割り振られたアップリンクリソースに対して増加されたシンボル持続時間をもつ狭帯域サブフレーム構造において割り振られ、ここにおいて、狭帯域サブフレーム構造は、少なくとも２つのシンボルを備え、第２のタイプのＵＥと通信するために使用されるサブフレーム構造と同じ持続時間を有し、と、割り振られたリソース上でアップリンク送信を実行することと、を行うために１つまたは複数のプロセッサによって実行可能である。
【００３８】
[0038]本開示のいくつかの態様は、基地局（ＢＳ）によるワイヤレス通信のための方法を提供する。本方法は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振ること、ここにおいて、アップリンクリソースは、第２のタイプのＵＥに割り振られたアップリンクリソースに対して増加されたシンボル持続時間をもつ狭帯域サブフレーム構造において割り振られ、ここにおいて、狭帯域サブフレーム構造におけるシンボルは、第２のタイプのＵＥと通信するために使用される１セットの複数のサブフレーム構造の境界と整合され（aligned with）、と、割り振られたリソース上で第１のタイプのＵＥからアップリンク送信を受信することと、を含む。
【００３９】
[0039]本開示のいくつかの態様は、基地局（ＢＳ）によるワイヤレス通信のための装置を提供する。本装置は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振るように構成された処理システム、ここにおいて、アップリンクリソースは、第２のタイプのＵＥに割り振られたアップリンクリソースに対して増加されたシンボル持続時間をもつ狭帯域サブフレーム構造において割り振られ、ここにおいて、狭帯域サブフレーム構造におけるシンボルは、第２のタイプのＵＥと通信するために使用される１セットの複数のサブフレーム構造の境界と整合され、と、割り振られたリソース上で第１のタイプのＵＥからアップリンク送信を受信するように構成された受信機と、を含む。
【００４０】
[0040]本開示のいくつかの態様は、基地局（ＢＳ）によるワイヤレス通信のための装置を提供する。本装置は、概して、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振るための手段、ここにおいて、アップリンクリソースは、第２のタイプのＵＥに割り振られたアップリンクリソースに対して増加されたシンボル持続時間をもつ狭帯域サブフレーム構造において割り振られ、ここにおいて、狭帯域サブフレーム構造におけるシンボルは、第２のタイプのＵＥと通信するために使用される１セットの複数のサブフレーム構造の境界と整合され、と、割り振られたリソース上で第１のタイプのＵＥからアップリンク送信を受信するための手段と、を含む。
【００４１】
[0041]本開示のいくつかの態様は、基地局（ＢＳ）によるワイヤレス通信のためのコンピュータ可読媒体を提供する。本コンピュータ可読媒体は、概して、その上に記憶された命令を含み、命令は、第２のタイプのユーザ機器（ＵＥ）と通信するために使用される第２の周波数帯域よりも狭い第１の周波数帯域上でＢＳと通信する１つまたは複数の第１のタイプのＵＥにアップリンクリソースを割り振ること、ここにおいて、アップリンクリソースは、第２のタイプのＵＥに割り振られたアップリンクリソースに対して増加されたシンボル持続時間をもつ狭帯域サブフレーム構造において割り振られ、ここにおいて、狭帯域サブフレーム構造におけるシンボルは、第２のタイプのＵＥと通信するために使用される１セットの複数のサブフレーム構造の境界と整合され、と、割り振られたリソース上で第１のタイプのＵＥからアップリンク送信を受信することと、を行うために１つまたは複数のプロセッサによって実行可能である。
【００４２】
[0042]本開示のいくつかの態様は、第１のタイプのユーザ機器（ＵＥ）によるワイヤレス通信のための方法を提供する。本方法は、概して、基地局から、基地局と通信するために第２のタイプのＵＥによって使用される第２の周波数帯域よりも狭い第１の周波数帯域上での基地局との通信のためのアップリンクリソースの割振りを受信すること、ここにおいて、アップリンクリソースは、第２のタイプのＵＥに割り振られたアップリンクリソースに対して増加されたシンボル持続時間をもつ狭帯域サブフレーム構造において割り振られ、ここにおいて、狭帯域サブフレーム構造におけるシンボルは、第２のタイプのＵＥと通信するために使用される１セットの複数のサブフレーム構造の境界と整合され、と、割り振られたリソース上でアップリンク送信を実行することと、を含む。
【００４３】
[0043]本開示のいくつかの態様は、第１のタイプのユーザ機器（ＵＥ）によるワイヤレス通信のための装置を提供する。本装置は、概して、基地局から、基地局と通信するために第２のタイプのＵＥによって使用される第２の周波数帯域よりも狭い第１の周波数帯域上での基地局との通信のためのアップリンクリソースの割振りを受信するように構成された受信機、ここにおいて、アップリンクリソースは、第２のタイプのＵＥに割り振られたアップリンクリソースに対して増加されたシンボル持続時間をもつ狭帯域サブフレーム構造において割り振られ、ここにおいて、狭帯域サブフレーム構造におけるシンボルは、第２のタイプのＵＥと通信するために使用される１セットの複数のサブフレーム構造の境界と整合され、と、割り振られたリソース上でアップリンク送信を実行するように構成された送信機と、を含む。
【００４４】
[0044]本開示のいくつかの態様は、第１のタイプのユーザ機器（ＵＥ）によるワイヤレス通信のための装置を提供する。本装置は、概して、基地局から、基地局と通信するために第２のタイプのＵＥによって使用される第２の周波数帯域よりも狭い第１の周波数帯域上での基地局との通信のためのアップリンクリソースの割振りを受信するための手段、ここにおいて、アップリンクリソースは、第２のタイプのＵＥに割り振られたアップリンクリソースに対して増加されたシンボル持続時間をもつ狭帯域サブフレーム構造において割り振られ、ここにおいて、狭帯域サブフレーム構造におけるシンボルは、第２のタイプのＵＥと通信するために使用される１セットの複数のサブフレーム構造の境界と整合され、と、割り振られたリソース上でアップリンク送信を実行するための手段と、を含む。
【００４５】
[0045]本開示のいくつかの態様は、第１のタイプのユーザ機器（ＵＥ）によるワイヤレス通信のためのコンピュータ可読媒体を提供する。本コンピュータ可読媒体は、概して、その上に記憶された命令を含み、命令は、基地局から、基地局と通信するために第２のタイプのＵＥによって使用される第２の周波数帯域よりも狭い第１の周波数帯域上での基地局との通信のためのアップリンクリソースの割振りを受信すること、ここにおいて、アップリンクリソースは、第２のタイプのＵＥに割り振られたアップリンクリソースに対して増加されたシンボル持続時間をもつ狭帯域サブフレーム構造において割り振られ、ここにおいて、狭帯域サブフレーム構造におけるシンボルは、第２のタイプのＵＥと通信するために使用される１セットの複数のサブフレーム構造の境界と整合され、と、割り振られたリソース上でアップリンク送信を実行することと、を行うために１つまたは複数のプロセッサによって実行可能である。
【００４６】
[0046]方法、装置、システム、コンピュータプログラム製品、および処理システムを含む多数の他の態様が提供される。
【図面の簡単な説明】
【００４７】
【図１】[0047]本開示のいくつかの態様による、ワイヤレス通信ネットワークの一例を概念的に示すブロック図。
【図２】[0048]本開示のいくつかの態様による、ワイヤレス通信ネットワークにおいてユーザ機器（ＵＥ）と通信している基地局の一例を概念的に示すブロック図。
【図３】[0049]ＬＴＥにおけるＦＤＤのための例示的なフレーム構造を示す図。
【図４】[0050]ノーマルサイクリックプレフィックスをもつ２つの例示的なサブフレームフォーマットを示す図。
【図５】[0051]本開示のいくつかの態様による、より大きいシステム帯域幅内の狭帯域展開の例を示す図。
【図６】[0052]本開示のいくつかの態様による、第２の周波数帯域に対して狭い周波数帯域上でＵＥと通信するために基地局によって実行され得る例示的な動作を示す図。
【図７】[0053]本開示のいくつかの態様による、第２の周波数帯域に対して狭い周波数帯域上で基地局と通信するためにユーザ機器（ＵＥ）によって実行され得る例示的な動作を示す図。
【図８】[0054]本開示のいくつかの態様による、例示的な狭帯域サブフレーム構造を示す図。
【図９】[0055]本開示のいくつかの態様による、第２の周波数帯域に対して狭い周波数帯域上でＵＥと通信するために基地局によって実行され得る例示的な動作を示す図。
【図１０】[0056]本開示のいくつかの態様による、第２の周波数帯域に対して狭い周波数帯域上で基地局と通信するためにユーザ機器（ＵＥ）によって実行され得る例示的な動作を示す図。
【図１１】[0057]本開示のいくつかの態様による、例示的な狭帯域サブフレーム構造を示す図。
【図１２】[0058]本開示のいくつかの態様による、狭帯域サブフレーム構造とレガシー（広帯域）サブフレーム構造との間の比較を示す図。
【図１３】[0059]本開示のいくつかの態様による、第２の周波数帯域に対して狭い周波数帯域上でＵＥと通信するために基地局によって実行され得る例示的な動作を示す図。
【図１４】[0060]本開示のいくつかの態様による、第２の周波数帯域に対して狭い周波数帯域上で基地局と通信するためにユーザ機器（ＵＥ）によって実行され得る例示的な動作を示す図。
【図１５Ａ】[0061]本開示のいくつかの態様による、レガシーサブフレーム構造および狭帯域サブフレーム構造のための例示的なサブフレームサンプリングサイズを示す図。
【図１５Ｂ】本開示のいくつかの態様による、レガシーサブフレーム構造および狭帯域サブフレーム構造のための例示的なサブフレームサンプリングサイズを示す図。
【図１５Ｃ】本開示のいくつかの態様による、レガシーサブフレーム構造および狭帯域サブフレーム構造のための例示的なサブフレームサンプリングサイズを示す図。
【図１６Ａ】[0062]本開示のいくつかの態様による、狭帯域サブフレーム構造のための例示的なサブフレームサンプリングサイズを示す図。
【図１６Ｂ】本開示のいくつかの態様による、狭帯域サブフレーム構造のための例示的なサブフレームサンプリングサイズを示す図。
【図１６Ｃ】本開示のいくつかの態様による、狭帯域サブフレーム構造のための例示的なサブフレームサンプリングサイズを示す図。
【図１７】[0063]本開示のいくつかの態様による、第２の周波数帯域に対して狭い周波数帯域上でＵＥと通信するために基地局によって実行され得る例示的な動作を示す図。
【図１８】[0064]本開示のいくつかの態様による、第２の周波数帯域に対して狭い周波数帯域上で基地局と通信するためにユーザ機器（ＵＥ）によって実行され得る例示的な動作を示す図。
【図１９】[0065]本開示のいくつかの態様による、基地局と第２のタイプのＵＥとの間の通信の特性に基づいて、第１のタイプのＵＥによってアップリンク通信のために使用される狭帯域サブフレーム構造を決定することの一例を示す図。
【図２０】[0066]本開示のいくつかの態様による、広帯域サブフレームの持続時間を有する様々なサブフレーム構造を示す図。
【図２１】[0067]本開示のいくつかの態様による、第２の周波数帯域に対して狭い周波数帯域上でＵＥと通信するために基地局によって実行され得る例示的な動作を示す図。
【図２２】[0068]本開示のいくつかの態様による、第２の周波数帯域に対して狭い周波数帯域上で基地局と通信するためにユーザ機器（ＵＥ）によって実行され得る例示的な動作を示す図。
【発明を実施するための形態】
【００４８】
[0069]いくつかの場合には、低コスト、低データレートＵＥが、より大きい量の無線リソース（たとえば、より多くの受信チェーン）を有するデバイスとともにネットワーク中に共存し得る。本開示の態様は、低コスト、低データレートＵＥによるアップリンク通信のためのサブフレームおよび／またはスロットタイミングを、より大きい通信能力をもつＵＥによるアップリンク通信のためのサブフレームタイミングと整合させることによって、低コスト、低データレートＵＥとより大きい通信能力を有するＵＥとの間の共存を与えるための技法を提供する。
【００４９】
[0070]本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ）、ｃｄｍａ２０００など、無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイル電気通信システム（ＵＭＴＳ）の一部である。周波数分割複信（ＦＤＤ）と時分割複信（ＴＤＤ）の両方における３ＧＰＰロングタームエボリューション（ＬＴＥ）およびＬＴＥ−アドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明される技法は、上記のワイヤレスネットワークおよび無線技術、ならびに他のワイヤレスネットワークおよび無線技術に使用され得る。明快のために、本技法のいくつかの態様が以下ではＬＴＥ／ＬＴＥアドバンストに関して説明され、以下の説明の大部分でＬＴＥ／ＬＴＥアドバンスト用語が使用される。ＬＴＥおよびＬＴＥ−Ａは、一般にＬＴＥと呼ばれる。
【００５０】
[0071]図１は、本開示の態様が実施され得る例示的なワイヤレス通信ネットワーク１００を示す。たとえば、本明細書で提示される技法は、図１に示されているＵＥおよびＢＳが、狭帯域（たとえば、６ＰＲＢ）ベースの探索空間を使用して、マシンタイプ物理ダウンリンク制御チャネル（ｍＰＤＣＣＨ：machine type physical downlink control channel）上で通信するのを助けるために使用され得る。
【００５１】
[0072]ネットワーク１００は、ＬＴＥネットワークまたは何らかの他のワイヤレスネットワークであり得る。ワイヤレスネットワーク１００は、いくつかの発展型ノードＢ（ｅＮＢ）１１０と他のネットワークエンティティとを含み得る。ｅＮＢは、ユーザ機器（ＵＥ）と通信するエンティティであり、基地局（ＢＳ）、ノードＢ、アクセスポイントなどと呼ばれることもある。各ｅＮＢは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００５２】
[0073]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示されている例では、ｅＮＢ１１０ａがマクロセル１０２ａのためのマクロｅＮＢであり得、ｅＮＢ１１０ｂがピコセル１０２ｂのためのピコｅＮＢであり得、ｅＮＢ１１０ｃがフェムトセル１０２ｃのためのフェムトｅＮＢであり得る。ｅＮＢは１つまたは複数の（たとえば、３つの）セルをサポートし得る。「ｅＮＢ」、「基地局」および「セル」という用語は、本明細書では互換的に使用され得る。
【００５３】
[0074]ワイヤレスネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対する送信を中継することができるＵＥであり得る。図１に示されている例では、中継局１１０ｄは、ｅＮＢ１１０ａとＵＥ１２０ｄとの間の通信を可能にするために、マクロｅＮＢ１１０ａおよびＵＥ１２０ｄと通信し得る。中継局は、リレーｅＮＢ、リレー基地局、リレーなどと呼ばれることもある。
【００５４】
[0075]ワイヤレスネットワーク１００は、様々なタイプのｅＮＢ、たとえば、マクロｅＮＢ、ピコｅＮＢ、フェムトｅＮＢ、リレーｅＮＢなどを含む異種ネットワークであり得る。これらの異なるタイプのｅＮＢは、異なる送信電力レベル、異なるカバレージエリア、およびワイヤレスネットワーク１００における干渉に対する異なる影響を有し得る。たとえば、マクロｅＮＢは、高い送信電力レベル（たとえば、５〜４０ワット）を有し得るが、ピコｅＮＢ、フェムトｅＮＢ、およびリレーｅＮＢは、より低い送信電力レベル（たとえば、０．１〜２ワット）を有し得る。
【００５５】
[0076]ネットワークコントローラ１３０は、ｅＮＢのセットに結合し得、これらのｅＮＢの協調および制御を行い得る。ネットワークコントローラ１３０はバックホールを介してｅＮＢと通信し得る。ｅＮＢはまた、たとえば、ワイヤレスバックホールまたはワイヤラインバックホールを介して直接または間接的に互いに通信し得る。
【００５６】
[0077]ＵＥ１２０（たとえば、１２０ａ、１２０ｂ、１２０ｃ）はワイヤレスネットワーク１００全体にわたって分散され得、各ＵＥは固定または移動であり得る。ＵＥは、アクセス端末、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブックなどであり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の潜在的に干渉する送信を示す。
【００５７】
[0078]ワイヤレス通信ネットワーク１００（たとえば、ＬＴＥネットワーク）中の１つまたは複数のＵＥ１２０はまた、狭帯域帯域幅ＵＥであり得る。これらのＵＥは、ＬＴＥネットワーク中の（たとえば、より広い帯域幅上で動作することが可能な）レガシーおよび／または高度ＵＥと共存し得、ワイヤレスネットワーク中の他のＵＥと比較して制限された１つまたは複数の能力を有し得る。たとえば、ＬＴＥ  Ｒｅｌ−１２では、ＬＴＥネットワーク中のレガシーおよび／または高度ＵＥと比較して、狭帯域ＵＥは、（レガシーＵＥに対する）最大帯域幅の低減、単一の受信無線周波数（ＲＦ）チェーン、ピークレートの低減（たとえば、トランスポートブロックサイズ（ＴＢＳ）のための最大１０００ビットがサポートされ得る）、送信電力の低減、ランク１送信、半二重動作などのうちの１つまたは複数を用いて動作し得る。いくつかの場合には、半二重動作がサポートされる場合、狭帯域ＵＥは、送信動作から受信動作への（または受信から送信への）緩和された切替えタイミングを有し得る。たとえば、ある場合には、レガシーおよび／または高度ＵＥのための２０マイクロ秒（μｓ）の切替えタイミングと比較して、狭帯域ＵＥは１ミリ秒（ｍｓ）の緩和された切替えタイミングを有し得る。
【００５８】
[0079]いくつかの場合には、（たとえば、ＬＴＥ  Ｒｅｌ−１２における）狭帯域ＵＥはまた、ＬＴＥネットワーク中のレガシーおよび／または高度ＵＥがダウンリンク（ＤＬ）制御チャネルを監視するのと同様に離れて、ＤＬ制御チャネルを監視することが可能であり得る。リリース１２狭帯域ＵＥは、依然として、通常ＵＥと同様の方法でダウンリンク（ＤＬ）制御チャネルを監視し得、たとえば、最初の数個のシンボル中の広帯域制御チャネル（たとえば、物理ダウンリンク制御チャネル（ＰＤＣＣＨ：physical downlink control channel））、ならびに比較的狭帯域を占有するが、１サブフレームの長さにわたる狭帯域制御チャネル（たとえば、拡張ＰＤＣＣＨ（ｅＰＤＣＣＨ））について監視する。
【００５９】
[0080]いくつかの態様によれば、狭帯域ＵＥは、より広いシステム帯域幅内で（たとえば、１．４／３／５／１０／１５／２０ＭＨｚにおいて）共存しながら、利用可能なシステム帯域幅）から区分される１．４ＭＨｚまたは６つのリソースブロック（ＲＢ：resource block）の特定の狭帯域割当てに制限され得る。さらに、狭帯域ＵＥはまた、１つまたは複数のカバレージ動作モードをサポートすることが可能であり得る。たとえば、狭帯域ＵＥは、１５ｄＢまでのカバレージ拡張をサポートすることが可能であり得る。
【００６０】
[0081]本明細書で使用される、限られた通信リソース、たとえばより小さい帯域幅をもつデバイスは、一般に狭帯域ＵＥと呼ばれることがある。同様に、（たとえば、ＬＴＥにおける）レガシーおよび／または高度ＵＥなどのレガシーデバイスは、一般に広帯域ＵＥと呼ばれることがある。概して、広帯域ＵＥは、狭帯域ＵＥよりも大きい量の帯域幅上で動作することが可能である。
【００６１】
[0082]いくつかの場合には、ＵＥ（たとえば、狭帯域ＵＥまたは広帯域ＵＥ）は、ネットワークにおいて通信する前にセル探索および捕捉（acquisition）プロシージャを実行し得る。ある場合には、一例として図１に示されているＬＴＥネットワークに関して、ＵＥがＬＴＥセルに接続されておらず、ＬＴＥネットワークにアクセスすることを希望するとき、セル探索および捕捉プロシージャが実行され得る。これらの場合、ＵＥは、ちょうど電源投入した、ＬＴＥセルへの接続を一時的に失った後に接続を復元した、などであり得る。
【００６２】
[0083]他の場合には、ＵＥがＬＴＥセルにすでに接続されているとき、セル探索および捕捉プロシージャが実行され得る。たとえば、ＵＥは、新しいＬＴＥセルを検出していることがあり、新しいセルへのハンドオーバを準備し得る。別の例として、ＵＥは、１つまたは複数の低電力状態において動作していることがあり（たとえば、間欠受信（ＤＲＸ）をサポートし得）、１つまたは複数の低電力状態を出ると、（ＵＥがまだ接続モードにあるにもかかわらず）セル探索および捕捉プロシージャを実行しなければならないことがある。
【００６３】
[0084]図２は、図１の基地局／ｅＮＢの１つであり得る基地局／ｅＮＢ１１０および図１のＵＥの１つであり得るＵＥ１２０の設計のブロック図を示す。基地局１１０はＴ個のアンテナ２３４ａ〜２３４ｔを装備し得、ＵＥ１２０はＲ個のアンテナ２５２ａ〜２５２ｒを装備し得、ただし、概してＴ≧１およびＲ≧１である。
【００６４】
[0085]基地局１１０において、送信プロセッサ２２０が、１つまたは複数のＵＥについてデータソース２１２からデータを受信し、ＵＥから受信されたＣＱＩに基づいて各ＵＥのための１つまたは複数の変調およびコーディング方式（ＭＣＳ）を選択し、そのＵＥのために選択された（１つまたは複数の）ＭＣＳに基づいて各ＵＥのためのデータを処理（たとえば、符号化および変調）し、すべてのＵＥについてデータシンボルを与え得る。送信プロセッサ２２０はまた、（たとえば、ＳＲＰＩなどのための）システム情報および制御情報（たとえば、ＣＱＩ要求、許可、上位レイヤシグナリングなど）を処理し、オーバーヘッドシンボルおよび制御シンボルを与え得る。プロセッサ２２０はまた、基準信号（たとえば、ＣＲＳ）および同期信号（たとえば、ＰＳＳおよびＳＳＳ）のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ）２３２ａ〜２３２ｔに与え得る。各変調器２３２は、出力サンプルストリームを取得するために、（たとえば、ＯＦＤＭなどのために）それぞれの出力シンボルストリームを処理し得る。各変調器２３２はさらに、ダウンリンク信号を取得するために、出力サンプルストリームを処理（たとえば、アナログ変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。
【００６５】
[0086]ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、それの受信信号を調整（たとえば、フィルタ処理、増幅、ダウンコンバート、およびデジタル化）し得る。各復調器２５４はさらに、受信シンボルを取得するために、（たとえば、ＯＦＤＭなどのための）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与え得る。受信プロセッサ２５８は、検出されたシンボルを処理（たとえば、復調および復号）し、ＵＥ１２０のための復号されたデータをデータシンク２６０に与え、復号された制御情報およびシステム情報をコントローラ／プロセッサ２８０に与え得る。チャネルプロセッサは、ＲＳＲＰ、ＲＳＳＩ、ＲＳＲＱ、ＣＱＩなどを決定し得る。
【００６６】
[0087]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。基地局１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００６７】
[0088]コントローラ／プロセッサ２４０および２８０は、それぞれ基地局１１０およびＵＥ１２０における動作を指示し得る。たとえば、ＵＥ１２０におけるプロセッサ２８０ならびに／または他のプロセッサおよびモジュールは、図６に示されている動作６００、図７に示されている動作７００、図９に示されている動作９００、図１０に示されている動作１０００、図１３に示されている動作１３００、図１４に示されている動作１４００、図１７に示されている動作１７００、図１８に示されている動作１８００、図２１に示されている動作２１００、および／または図２２に示されている動作２２００を実行または指示し得る。メモリ２４２および２８２は、それぞれ基地局１１０およびＵＥ１２０のためのデータおよびプログラムコードを記憶し得る。スケジューラ２４６は、ダウンリンク上および／またはアップリンク上でのデータ送信のためにＵＥをスケジュールし得る。
【００６８】
[0089]図３は、ＬＴＥにおけるＦＤＤのための例示的なフレーム構造３００を示す。ダウンリンクおよびアップリンクの各々についての送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図３に示されているように）ノーマルサイクリックプレフィックスの場合は７つのシンボル期間、または拡張サイクリックプレフィックスの場合は６つのシンボル期間を含み得る。各サブフレーム中の２Ｌ個のシンボル期間は０〜２Ｌ−１のインデックスが割り当てられ得る。
【００６９】
[0090]ＬＴＥでは、ｅＮＢは、ｅＮＢによってサポートされるセルごとにシステム帯域幅の中心においてダウンリンク上で１次同期信号（ＰＳＳ：primary synchronization signal）と２次同期信号（ＳＳＳ：secondary synchronization signal）とを送信し得る。ＰＳＳおよびＳＳＳは、図３に示されているように、それぞれ、ノーマルサイクリックプレフィックスをもつ各無線フレームのサブフレーム０および５中のシンボル期間６および５中で送信され得る。ＰＳＳおよびＳＳＳは、セル探索および捕捉のためにＵＥによって使用され得、情報の中でも、複信モードの指示とともにセルＩＤを含んでいることがある。複信モードの指示は、セルが時分割複信（ＴＤＤ）フレーム構造を利用するのか周波数分割複信（ＦＤＤ）フレーム構造を利用するのかを示し得る。ｅＮＢは、ｅＮＢによってサポートされるセルごとにシステム帯域幅にわたってセル固有基準信号（ＣＲＳ：cell-specific reference signal）を送信し得る。ＣＲＳは、各サブフレームのいくつかのシンボル期間において送信され得、チャネル推定、チャネル品質測定、および／または他の機能を実行するためにＵＥによって使用され得る。ｅＮＢはまた、いくつかの無線フレームのスロット１中のシンボル期間０〜３中に物理ブロードキャストチャネル（ＰＢＣＨ：physical broadcast channel）を送信し得る。ＰＢＣＨは何らかのシステム情報を搬送し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの第１のＢ個のシンボル期間中に、物理ダウンリンク制御チャネル（ＰＤＣＣＨ：physical downlink control channel）上で制御情報／データを送信し得、ここで、Ｂは各サブフレームについて構成可能であり得る。ｅＮＢは、各サブフレームの残りのシンボル期間中に、ＰＤＳＣＨ上でトラフィックデータおよび／または他のデータを送信し得る。
【００７０】
[0091]チャネル品質測定が、定義されたスケジュールに従ってＵＥによって実行され得、そのようなスケジュールはＵＥのＤＲＸサイクルに基づく。たとえば、ＵＥは、ＤＲＸサイクルごとにサービングセルのための測定を実行することを試み得る。ＵＥはまた、非サービングネイバリングセルのための測定を実行することを試み得る。非サービングネイバーセルのための測定は、サービングセルのためのものとは異なるスケジュールに基づいて行われ得、ＵＥは、ＵＥが接続モードにあるとき、非サービングセルを測定するためにサービングセルから離調する（tune way）必要があり得る。
【００７１】
[0092]チャネル品質測定を容易にするために、ｅＮＢが特定のサブフレーム上でセル固有基準信号（ＣＲＳ：cell specific reference signal）を送信し得る。たとえば、ｅＮＢは、所与のフレームのためのサブフレーム０および５上でＣＲＳを送信し得る。狭帯域ＵＥは、この信号を受信し、受信された信号の平均電力、またはＲＳＲＰを測定し得る。狭帯域ＵＥはまた、すべてのソースからの総受信信号電力に基づいて受信信号強度インジケータ（ＲＳＳＩ：Receive Signal Strength Indicator）を計算し得る。また、ＲＳＲＱが、ＲＳＲＰとＲＳＳＩとに基づいて計算され得る。
【００７２】
[0093]測定を容易にするために、ｅＮＢは、それのカバレージエリア中のＵＥに測定構成を与え得る。測定構成は測定報告のためのイベントトリガを定義し得、各イベントトリガは、関連するパラメータを有し得る。ＵＥが、構成された測定イベントを検出したとき、ＵＥは、関連する測定対象に関する情報とともにｅＮＢに測定報告を送ることによって応答し得る。構成された測定イベントは、たとえば、しきい値を満たす、測定された基準信号受信電力（ＲＳＲＰ：reference signal received power）または測定された基準信号受信品質（ＲＳＲＱ：reference signal received quality）であり得る。ＵＥがそれの測定報告を送る前に、測定イベントがどのくらい長く残存しなければならないかを定義するために、トリガ時間（ＴＴＴ：time-to-trigger）パラメータが使用され得る。このようにして、ＵＥは、それの無線状態の変化をネットワークにシグナリングし得る。
【００７３】
[0094]図４は、ノーマルサイクリックプレフィックスをもつ２つの例示的なサブフレームフォーマット４１０および４２０を示す。利用可能な時間周波数リソースはリソースブロックに区分され得る。各リソースブロックは、１つのスロット中の１２個のサブキャリアをカバーし得、いくつかのリソース要素を含み得る。各リソース要素は、１つのシンボル期間中の１つのサブキャリアをカバーし得、実数値または複素数値であり得る１つの変調シンボルを送るために使用され得る。
【００７４】
[0095]サブフレームフォーマット４１０は、２つのアンテナのために使用され得る。ＣＲＳは、シンボル期間０、４、７および１１中にアンテナ０および１から送信され得る。基準信号は、送信機および受信機によってアプリオリに知られる信号であり、パイロットと呼ばれることもある。ＣＲＳは、たとえば、セル識別情報（ＩＤ）に基づいて生成される、セルに固有である基準信号である。図４では、ラベルＲａをもつ所与のリソース要素について、アンテナａからはそのリソース要素上で変調シンボルが送信され得、他のアンテナからはそのリソース上で変調シンボルが送信されないことがある。サブフレームフォーマット４２０は、４つのアンテナとともに使用され得る。ＣＲＳは、シンボル期間０、４、７および１１中でアンテナ０および１から送信され、シンボル期間１および８中でアンテナ２および３から送信され得る。サブフレームフォーマット４１０とサブフレームフォーマット４２０の両方について、ＣＲＳは、セルＩＤに基づいて決定され得る、均等に離間したサブキャリア上で送信され得る。ＣＲＳは、それらのセルＩＤに応じて、同じまたは異なるサブキャリア上で送信され得る。サブフレームフォーマット４１０とサブフレームフォーマット４２０の両方について、ＣＲＳのために使用されないリソース要素は、データ（たとえば、トラフィックデータ、制御データ、および／または他のデータ）を送信するために使用され得る。
【００７５】
[0096]ＬＴＥにおけるＰＳＳ、ＳＳＳ、ＣＲＳおよびＰＢＣＨは、公開されている「Evolved Universal Terrestrial Radio Access (E-UTRA); Physical Channels and Modulation」と題する３ＧＰＰ  ＴＳ  ３６．２１１に記載されている。
【００７６】
[0097]ＬＴＥにおけるＦＤＤのためのダウンリンクおよびアップリンクの各々のためにインターレース構造が使用され得る。たとえば、０〜Ｑ−１のインデックスをもつＱ個のインターレースが定義され得、ただし、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ただし、ｑ∈｛０，．．．，Ｑ−１｝である。
【００７７】
[0098]ワイヤレスネットワークは、ダウンリンクおよびアップリンク上でのデータ送信のためのハイブリッド自動再送要求（ＨＡＲＱ）をサポートし得る。ＨＡＲＱの場合、送信機（たとえば、ｅＮＢ）は、パケットが受信機（たとえば、ＵＥ）によって正確に復号されるか、または何らかの他の終了条件が遭遇されるまで、パケットの１つまたは複数の送信を送り得る。同期ＨＡＲＱの場合、パケットのすべての送信が単一のインターレースのサブフレーム中で送られ得る。非同期ＨＡＲＱの場合、パケットの各送信は任意のサブフレーム中で送られ得る。
【００７８】
[0099]ＵＥは、複数のｅＮＢのカバレージ内に位置し得る。これらのｅＮＢのうちの１つが、そのＵＥをサービスするために選択され得る。サービングｅＮＢは、受信信号強度、受信信号品質、経路損失など、様々な基準に基づいて選択され得る。受信信号品質は、信号対雑音干渉比（ＳＩＮＲ：signal-to-noise-and-interference ratio）、または基準信号受信品質（ＲＳＲＱ：reference signal received quality）、または何らかの他のメトリックによって定量化され得る。ＵＥは、ＵＥが１つまたは複数の干渉ｅＮＢからの高い干渉を観測し得る支配的（dominant）干渉シナリオにおいて動作し得る。
【００７９】
[00100]従来のＬＴＥ設計の焦点は、スペクトル効率、ユビキタスカバレージ、および拡張サービス品質（ＱｏＳ）サポートの改善に対するものである。現在のＬＴＥシステムのダウンリンク（ＤＬ）およびアップリンク（ＵＬ）リンクバジェットは、比較的大きいＤＬおよびＵＬリンクバジェットをサポートし得る、最先端のスマートフォンおよびタブレットなど、ハイエンドデバイスのカバレージのために設計される。
【００８０】
[00101]したがって、上記で説明されたように、ワイヤレス通信ネットワーク（たとえば、ワイヤレス通信ネットワーク１００）中の１つまたは複数のＵＥは、ワイヤレス通信ネットワーク中の他の（広帯域）デバイスと比較して、狭帯域ＵＥなど、限られた通信リソースを有するデバイスであり得る。狭帯域ＵＥでは、限られた量の情報のみが交換される必要があり得るので、様々な要件が緩和され得る。たとえば、（広帯域ＵＥに対して）最大帯域幅が低減され得、単一の受信無線周波数（ＲＦ）チェーンが使用され得、ピークレートが低減され得（たとえば、トランスポートブロックサイズのために最高１００ビット）、送信電力が低減され得、ランク１送信が使用され得、半二重動作が実行され得る。
【００８１】
[00102]いくつかの場合には、半二重動作が実行される場合、狭帯域ＵＥは、送信から受信に（または受信から送信に）遷移するための緩和された切替え時間を有し得る。たとえば、切替え時間は、通常ＵＥのための２０μｓから狭帯域ＵＥのための１ｍｓに緩和され得る。リリース１２狭帯域ＵＥは、依然として、通常ＵＥと同様の方法でダウンリンク（ＤＬ）制御チャネルを監視し得、たとえば、最初の数個のシンボル中の広帯域制御チャネル（たとえば、ＰＤＣＣＨ）、ならびに比較的狭帯域を占有するが、１ブフレームの長さにわたる狭帯域制御チャネル（たとえば、ｅＰＤＣＣＨ）を監視する。
【００８２】
[00103]いくつかのシステムでは、たとえば、ＬＴＥ  Ｒｅｌ−１３では、狭帯域は、利用可能なシステム帯域幅内の（たとえば、６つ以下のリソースブロック（ＲＢ）の）特定の狭帯域割当てに限定され得る。しかしながら、狭帯域は、たとえば、ＬＴＥシステム内で共存する（co-existテムの利用可能なシステム帯域幅内の異なる狭帯域領域に再同調（retune）する（たとえば、動作するおよび／またはキャンピングする）ことが可能であり得る。
【００８３】
[00104]ＬＴＥシステム内での共存の別の例として、狭帯域ＵＥは、レガシー物理ブロードキャストチャネル（ＰＢＣＨ）（たとえば、概して、セルへの初期アクセスのために使用され得るパラメータを搬送するＬＴＥ物理チャネル）を（繰返しで）受信し、１つまたは複数のレガシー物理ランダムアクセスチャネル（ＰＲＡＣＨ：physical random access channel）フォーマットをサポートすることが可能であり得る。たとえば、狭帯域ＵＥは、複数のサブフレームにわたるＰＢＣＨの１回または複数回の追加の繰返しでレガシーＰＢＣＨを受信することが可能であり得る。別の例として、狭帯域ＵＥは、ＬＴＥシステムにおけるｅＮＢにＰＲＡＣＨの１回または複数回の繰返しを送信する（たとえば、１つまたは複数のＰＲＡＣＨフォーマットがサポートされる）ことが可能であり得る。ＰＲＡＣＨは、狭帯域ＵＥを識別するために使用され得る。また、繰り返されるＰＲＡＣＨ試みの数は、ｅＮＢによって構成され得る。
【００８４】
[00105]狭帯域ＵＥはまた、リンクバジェット制限付きデバイスであり得、それのリンクバジェット制限に基づいて、（たとえば、狭帯域ＵＥに送信される異なる量の繰返しメッセージを伴う）異なる動作モードで動作し得る。たとえば、いくつかの場合には、狭帯域ＵＥは、繰返しがほとんどない（すなわち、ＵＥがメッセージを正常に受信するために必要とされる繰返しの量が少ないか、または繰返しが必要とされないことさえある）通常カバレージモードで動作し得る。代替的に、いくつかの場合には、狭帯域ＵＥは、大きい量の繰返しがあり得るカバレージ拡張（ＣＥ：coverage enhancement）モードで動作し得る。たとえば、３２８ビットペイロードの場合、ＣＥモードにある狭帯域ＵＥは、ペイロードを正常に受信するために、ペイロードの１５０回以上の繰返しを必要とし得る。
【００８５】
[00106]いくつかの場合には、たとえば、ＬＴＥ  Ｒｅｌ−１３の場合、狭帯域ＵＥは、ブロードキャスト送信およびユニキャスト送信のそれの受信に関する制限された能力を有することがある。たとえば、狭帯域ＵＥによって受信されたブロードキャスト送信のための最大トランスポートブロック（ＴＢ）サイズは、１０００ビットに制限され得る。さらに、いくつかの場合には、狭帯域ＵＥは、１サブフレーム中で１より多くのユニキャストＴＢを受信することが可能でないことがある。いくつかの場合には（たとえば、上記で説明されたＣＥモードとノーマルモードの両方の場合）、狭帯域ＵＥは、１サブフレーム中で１より多くのブロードキャストＴＢを受信することが可能でないことがある。さらに、いくつかの場合には、狭帯域ＵＥは、１サブフレーム中で１つのユニキャストＴＢと１つのブロードキャストＴＢの両方を受信することが可能でないことがある。
【００８６】
[00107]ＬＴＥシステムにおいて共存する狭帯域ＵＥはまた、ページング、ランダムアクセスプロシージャなどのいくつかのプロシージャのための新しいメッセージを（たとえば、これらのプロシージャのためにＬＴＥにおいて使用される従来のメッセージとは対照的に）サポートし得る。ページング、ランダムアクセスプロシージャなどのためのこれらの新しいメッセージは、非狭帯域ＵＥに関連する同様のプロシージャのために使用されるメッセージとは別個であり得る。たとえば、ＬＴＥにおいて使用される従来のページングメッセージと比較して、狭帯域ＵＥは、非狭帯域ＵＥが監視および／または受信することが可能でないページングメッセージを監視および／または受信することが可能であり得る。同様に、従来のランダムアクセスプロシージャにおいて使用される従来のランダムアクセス応答（ＲＡＲ）メッセージと比較して、狭帯域ＵＥは、同じく、非狭帯域ＵＥによって受信されることが可能でないことがあるＲＡＲメッセージを受信することが可能であり得る。狭帯域ＵＥに関連する新しいページングおよびＲＡＲメッセージはまた、１回または複数回繰り返され（たとえば、「バンドル」され）得る。さらに、新しいメッセージについて異なる繰返し数（たとえば、異なるバンドリングサイズ）がサポートされ得る。
【００８７】
[00108]いくつかの態様によれば、各狭帯域領域が合計６つ以下のＲＢである帯域幅にわたる複数の狭帯域領域は、狭帯域ＵＥおよび／または狭帯域動作によってサポートされ得る。いくつかの場合には、狭帯域動作における各狭帯域ＵＥは、一度に（たとえば、１．４ＭＨｚまたは６つのＲＢにおいて）１つの狭帯域領域内で動作し得る。しかしながら、狭帯域動作における狭帯域ＵＥは、所与の時間に、より広いシステム帯域幅における他の狭帯域領域に再同調し得る。いくつかの例では、複数の狭帯域ＵＥが同じ狭帯域領域によってサービスされ得る。他の例では、複数の狭帯域ＵＥが、（たとえば、各狭帯域領域が６つのＲＢにわたる）異なる狭帯域領域によってサービスされ得る。また他の例では、狭帯域ＵＥの異なる組合せが、１つまたは複数の同じ狭帯域領域および／あるいは１つまたは複数の異なる狭帯域領域によってサービスされ得る。
【００８８】
[00109]たとえば、ＬＴＥ  Ｒｅｌ−１３における、いくつかのシステムは、狭帯域ＵＥならびに他のＵＥのためのカバレージ拡張およびサポートを導入する。本明細書で使用されるカバレージ拡張という用語は、概して、ネットワーク内の（狭帯域デバイスなどの）デバイスのカバレージ範囲を拡張する任意のタイプの機構を指す。カバレージ拡張（ＣＥ）のための１つの手法は、（たとえば、複数のサブフレームにわたって、または以下でより詳細に説明されるように、同じサブフレーム内の複数のシンボルにわたって）複数回同じデータを送信することを指すバンドリングである。
【００８９】
[00110]いくつかのシステムでは、狭帯域ＵＥは、より広いシステム帯域幅中で動作しながら狭帯域動作をサポートし得る。たとえば、狭帯域ＵＥは、システム帯域幅のうちの狭帯域領域中で送信および受信し得る。上述のように、狭帯域領域は６つのリソースブロック（ＲＢ）にわたり得る。
【００９０】
[00111]いくつかのシステムは、ＵＥとｅＮＢとの間の１５５．７ｄＢ最大結合損失にマッピングする最高１５ｄＢのカバレージ拡張をもつ狭帯域ＵＥを与え得る。したがって、狭帯域ＵＥおよびｅＮＢは、低いＳＮＲ（たとえば、−１５ｄＢ〜−２０ｄＢ）において測定を実行し得る。いくつかのシステムでは、カバレージ拡張はチャネルバンドリングを含み得、ここにおいて、狭帯域ＵＥに関連するメッセージが１回または複数回繰り返され（たとえば、バンドルされ）得る。
【００９１】
[00112]いくつかのデバイスは、レガシータイプ通信と非レガシータイプ通信の両方と通信することが可能であり得る。たとえば、いくつかのデバイスは、（システム帯域幅全体の）狭帯域領域ならびにより広い帯域領域の両方において通信することが可能であり得る。上記の例は、狭帯域領域を介して通信する低コストまたはＭＴＣデバイスを指すが、たとえば、周波数選択性および指向性送信を利用する、他の（非低コスト／非ＭＴＣ）タイプのデバイスも、狭帯域領域を介して通信し得る。
狭帯域ＬＴＥのための例示的なアップリンク設計
[00113]本論説のいくつかの態様は、第１のタイプのＵＥによって使用されるアップリンクリソースのためのスロットおよび／またはサブフレーム境界が、第２のタイプのＵＥによって使用されるアップリンクリソースのためのスロットおよび／またはサブフレーム境界と整合する（align with）ように、第２のタイプのＵＥよりも狭い帯域幅上で動作する第１のタイプのＵＥのためのアップリンクリソース割振りを与える。
【００９２】
[00114]いくつかの場合には、いくつかのＵＥ（たとえば、マシンタイプ通信（ＭＴＣ）ＵＥ）は、ＧＳＭ技術またはＥＤＧＥ技術との後方互換性がある必要はない（たとえば、より高い能力設計をもつＵＥによって使用される帯域幅よりも狭い帯域幅上で動作する）低コスト、低帯域幅設計を有し得る。しかしながら、いくつかの場合には、これらの低コスト、低電力ＵＥ（「狭帯域ＵＥ」）は、帯域内展開（すなわち、広帯域ＵＥによって使用される帯域幅内で動作する狭帯域ＵＥ）、および／またはスタンドアロン展開（すなわち、広帯域ＵＥによって使用される帯域幅外で動作する狭帯域ＵＥ）のための同じまたは同様の設計を使用して広帯域ＵＥとの互換性があり得る。
【００９３】
[00115]極度の(extreme)カバレージ状況のいくつかの場合、１６４ｄＢの最小結合損失（ＭＣＬ：minimum coupling loss）が必要とされ得る。設計は、高い電力効率を有し、多数のデバイスをサポートし、低コストで実装され得る。いくつかの場合には、２００ｋＨｚチャネル帯域幅が、狭帯域ＵＥによって通信のために使用され得る。
【００９４】
[00116]図５は、狭帯域がより大きいシステム帯域幅内で展開され得る様々な展開を示す。図示のように、狭帯域は、１８０ｋＨｚの帯域幅と２０ｋＨｚガードバンドとをもつ単一のＬＴＥリソースブロックであり得る。狭帯域通信のための単一のＬＴＥリソースブロックを使用することによって、ＬＴＥスタックの上位レイヤおよびハードウェアの大部分は再利用され得る。さらに、狭帯域ＵＥは拡張マシンタイプ通信（ｅＭＴＣ）と狭帯域ＬＴＥとを実装し得、それにより、断片化（fragmentation）を回避し得る。図示のように、これらの狭帯域は、（たとえば、広帯域ＵＥによって使用される）システム帯域幅と少なくとも部分的に重複し得るか、またはシステム帯域幅の外部に存在し得る。
【００９５】
[00117]ある場合には、展開５０２によって示されるように、狭帯域は、システム帯域幅内で（たとえば、広帯域ＵＥによって使用されるシステム帯域幅内で）展開され、狭帯域ＵＥによる使用のために専用化され得る。広帯域チャネル中のリソースブロックが狭帯域通信のために使用され得る。別の場合には、展開５０４によって示されるように、狭帯域は、異なるチャネル外の（または異なるチャネル間の）ガードバンド内で展開され得る。さらに別の場合、示されていないが、狭帯域チャネルはスタンドアロンチャネルであり得る。たとえば、狭帯域ＵＥによって通信のために使用される狭帯域チャネルは、ＧＳＭスペクトル中で展開され得、単一の２００ｋＨｚキャリアを使用し得る。図示のように、いくつかの場合には、サブフレームのいくつかのサブセット５０６は狭帯域送信のために割り振られ得る。狭帯域送信のために使用されるサブフレームのサブセット５０６は、システム帯域幅を通して配信され得る。いくつかの場合には、図示のように、サブフレームの第１のサブセット５０６1は、サブフレームの他のサブセット５０６（たとえば、サブフレームの第２のサブセット５０６2）と部分的に重複し得る。
【００９６】
[00118]ＵＥとｅノードＢ（ｅＮＢ）との間の通信では、ＵＥは、典型的には、物理ランダムアクセスチャネル（ＰＲＡＣＨ：physical random access channel）上で送信を実行する。ｅＮＢはＰＲＡＣＨ送信を検出し、タイミングアドバンスコマンドを送り、ＵＥは、１つのリソースブロック（ＲＢ）の最小割振りを有し得る物理アップリンク共有チャネル（ＰＵＳＣＨ：physical uplink shared channel）上で情報を送信する。
【００９７】
[00119]いくつかの態様では、狭帯域ＵＥは１つのＲＢを使用してＰＲＡＣＨ送信を実行し得、それは、より広い帯域幅を使用して送られるＰＲＡＣＨ送信に対してタイミング分解能を減少させ得る。６つのＲＢのより広い帯域幅のためのタイミング分解能は、およそ１マイクロ秒であり得るが、１つのＲＢの狭帯域のためのタイミング分解能は、およそ５マイクロ秒であり得る。タイミングアドバンスコマンドは、１ＲＢ狭帯域の低減されたタイミング分解能と、潜在的により低い信号対雑音比とにより、正確さを失い得る。いくつかの場合には、ディープカバレージ中のＵＥは電力制限され得（すなわち、追加の帯域幅から恩恵を受けないことがあり）、それにより、狭帯域通信（たとえば、１ＲＢ帯域幅ＬＴＥ通信）の多重化能力を増大させるためにサブＲＢ割当ての使用が可能にされ得る。
【００９８】
[00120]１つの設計では、広帯域ＬＴＥサブフレームのアップリンクヌメロロジー（numerology）は、狭帯域ＬＴＥ通信のためにファクタ６で乗算され得る。各シンボルおよびサイクリックプレフィックスは、２．５ｋＨｚのサブキャリア間隔の場合、６倍長くなり得る。アップリンクヌメロロジー（numerology）を乗算することは、オーバーヘッドに関して効率を失うことなしに、時間不正確さがより高くなることを可能にし得、多数のＵＥが同時に多重化されることを可能にし得る。しかしながら、アップリンクヌメロロジーをファクタ６で乗算することは、狭帯域ＬＴＥ送信が広帯域（レガシー）ＬＴＥ送信との直交性を失うことを引き起こし得、それは、さらなる干渉を生じ得る。広帯域ＵＥと狭帯域ＵＥとが同じＲＢ中で時間多重化された場合、追加のサイクリックプレフィックス長は、タイミングアドバンス誤差を補償することが可能でないことがある。最終的に、狭帯域ＵＥのためのスケジューリング時間単位と広帯域ＵＥのためのスケジューリング時間単位との間の差は、スケジューリング、時間領域複信動作、および狭帯域ＬＴＥ  ＰＵＳＣＨを広帯域サウンディング基準信号と多重化することの問題を課し得る。
【００９９】
[00121]いくつかの場合には、狭帯域ＬＴＥ送信と広帯域ＬＴＥ送信とは、同じサブフレーム構造およびヌメロロジーを使用し得る。
【０１００】
[00122]図６は、本開示の態様による、第１のタイプのＵＥに（たとえば、「スキーム１」による狭帯域ＵＥに）アップリンクリソースを割り振るために、たとえば、基地局によって実行され得る例示的な動作６００を示す。
【０１０１】
[00123]動作６００は、６０２において開始し得、ここで、基地局が、第２のタイプのＵＥと通信するために使用される第２の周波数帯域よりも狭い第１の周波数帯域上で基地局と通信する１つまたは複数の第１のタイプのＵＥにアップリンクリソースを割り振る。アップリンクリソースは、第２のタイプのＵＥに割り振られたアップリンクリソースと同じシンボル持続時間および同じ時間グラニュラリティで（with）割当られ得、およびシングルサブキャリアが第１のタイプのＵＥに割り振られる。６０４において、基地局は、割り振られたリソース上で第１のタイプのＵＥからアップリンク送信を受信する。
【０１０２】
[00124]図７は、本開示の態様による、（たとえば、図６に関して上記で説明された動作を実行する基地局によって割り振られた）割り振られたリソース上で基地局と通信するために、たとえば、第１のタイプのＵＥ（たとえば、狭帯域ＵＥ）によって実行され得る例示的な動作７００を示す。
【０１０３】
[00125]動作７００は、７０２において開始し得、ここで、ＵＥは、基地局と通信するために第２のタイプのＵＥによって使用される第２の周波数帯域よりも狭い第１の周波数帯域上での基地局との通信のためのアップリンクリソースの割振りを受信する。割り振られたアップリンクリソースは、第２のタイプのＵＥに割り振られたアップリンクリソースと同じシンボル持続時間および同じ時間グラニュラリティを有し得、シングルサブキャリア（single subcarriers）は第１のタイプのＵＥに割り振られ得る。７０４において、ＵＥは、割り振られたリソース上でアップリンク送信を実行する。
【０１０４】
[00126]一態様（以下「スキーム１」）では、狭帯域ＬＴＥ通信のために使用されるアップリンクヌメロロジーは、広帯域（レガシー）ＬＴＥ通信のために使用されるアップリンクヌメロロジーと同じままであり得る。サブキャリアは１５ｋＨｚの間隔を有し得、サブフレームは１ミリ秒の持続時間を有し得る。ディープカバレージＵＥの場合、シングルトーン送信が使用され得る。符号分割多重化（ＣＤＭ）は、リソースブロックにおける通信のために利用可能な１８０ｋＨｚ内で（たとえば、リソースブロックにおいて使用するために利用可能な１８０ｋＨｚ中のシングルサブキャリアまたはサブキャリアのグループ内で）より多くのＵＥを多重化するために経時的に適用され得る。いくつかの場合には、基地局は、ＵＥが広帯域ＵＥによって使用されるＳＲＳシンボルの周りでレートマッチングすべきであることを示すことができる。広帯域ＬＴＥ通信と狭帯域ＬＴＥ通信の両方について同じヌメロロジーを使用することによって、狭帯域通信は広帯域通信に干渉しないことがあり、狭帯域ＬＴＥ通信は周波数分割複信（ＦＤＤ）および時分割複信（ＴＤＤ）帯域内展開に適合し得る。サイクリックプレフィックス長が、狭帯域ＬＴＥ通信と広帯域ＬＴＥ通信の両方について同じままであるので、狭帯域通信中に、タイミング推定不正確さが存在し得る。
【０１０５】
[00127]図８は、本開示の一態様による、例示的なサブフレーム８００を示す。図示のように、サブフレーム８００は、ＰＵＳＣＨ送信のための８つの時間間隔と、復調基準信号（ＤＭＲＳ：demodulation reference signal）送信のための６つの時間間隔とを含む。サブフレームは、２つのスロット、すなわち、ＰＵＳＣＨシンボル０〜３とＤＭＲＳシンボルＡ、Ｂ、およびＣとを含む第１のスロット８１０、ならびにＰＵＳＣＨシンボル４〜７と、ＤＭＲＳシンボルＤ、Ｅ、およびＦとを含む第２のスロット８２０に分割され得る。
【０１０６】
[00128]ある場合には、トーンごとに３つのＵＥが多重化され得る。シンボル０、１、２、および３の間の直交シーケンスを用いた符号分割多重化（ＣＤＭ）が使用され、１つのＵＥが２つのシーケンスを受信し、２つのＵＥが単一のシーケンスを受信し得る。３つのＵＥのためのＤＭＲＳが、異なる拡散シーケンスを使用して多重化され、各ＵＥは、スロットごとに単一のＤＭＲＳを受信し得る（たとえば、各ＵＥは、第１のスロット８１０中で単一のＤＭＲＳを受信し、第２のスロット８２０中で単一のＤＭＲＳを受信し得る）。
【０１０７】
[00129]別の場合には、トーンごとに６つのＵＥが多重化され得る。８つの直交シーケンスを用いた符号分割多重化（ＣＤＭ）がシンボル０〜７のために使用され得、２つのＵＥは２つのシーケンスを受信し、残りの４つのＵＥは、それぞれ１つのシーケンスを受信し得る。６つのＵＥのためのＤＭＲＳが、異なる拡散シーケンスを使用して多重化され得、各ＵＥは、サブフレームごとに単一のＤＭＲＳを受信する。
【０１０８】
[00130]いくつかの場合（以下「スキーム３」）には、広帯域ＬＴＥ送信がノーマルサイクリックプレフィックスまたは拡張サイクリックプレフィックスを使用するか否かにかかわらず、広帯域ＬＴＥ送信とともに帯域内で実行される狭帯域ＬＴＥ送信のために、拡張サイクリックプレフィックスヌメロロジーが使用され得る。拡張サイクリックプレフィックスを使用して、狭帯域送信は、（ノーマルサイクリックプレフィックスが使用された場合の７つのＯＦＤＭシンボルの代わりに）スロットごとに６つのＯＦＤＭシンボルを有し得る。サイクリックプレフィックスは、タイミング誤差のためのさらなる緩衝（cushion）を与え得る１６．７マイクロ秒の長さを有し得る。符号分割多重化は、多重化能力を増加させるために使用され得る。
【０１０９】
[00131]増加されたサイクリックプレフィックス長は、効率という犠牲を払って時間正確さを改善し得る。拡張サイクリックプレフィックスを使用する狭帯域ＬＴＥ送信は、広帯域ＬＴＥ送信がノーマルサイクリックプレフィックスまたは拡張サイクリックプレフィックスを使用するか否かにかかわらず、広帯域ＬＴＥ送信と時間整合されたままであり得る。広帯域ＬＴＥ送信がノーマルサイクリックプレフィックスを使用する場合、狭帯域ＬＴＥ送信のために拡張サイクリックプレフィックスを使用することは直交性の損失を生じ得る。
【０１１０】
[00132]いくつかの場合（以下「スキーム２」）には、狭帯域ＬＴＥ送信のために、広帯域ＬＴＥシンボル持続時間およびサブキャリア間隔に対する増加されたシンボル持続時間とより狭いサブキャリア間隔とが使用され得る。
【０１１１】
[00133]図９は、本開示の態様による、第１のタイプのＵＥ（たとえば、狭帯域ＵＥ）に（スキーム２に従って）アップリンクリソースを割り振るために、基地局によって実行され得る例示的な動作９００を示す。動作９００は、９０２において開始し得、ここで、基地局は、第２のタイプのユーザ機器（ＵＥ）と通信するために使用される第２の周波数帯域よりも狭い第１の周波数帯域上で基地局と通信する１つまたは複数の第１のタイプのＵＥにアップリンクリソースを割り振る。アップリンクリソースは、第２のタイプのＵＥに割り振られたアップリンクリソースに対して増加されたシンボル持続時間とより狭いサブキャリア間隔とをもつ狭帯域サブフレーム構造において割り振られ得る。狭帯域サブフレーム構造は少なくとも２つのタイムスロットを備え得、各タイムスロットは、第２のタイプのＵＥと通信するために使用されるサブフレーム構造と同じ持続時間を有し得る。９０４において、基地局は、割り振られたリソース上で第１のタイプのＵＥからアップリンク送信を受信する。
【０１１２】
[00134]図１０は、本開示の態様による、基地局と（たとえば、図９に関して上記で説明された動作を実行する基地局と）通信するために、第１のタイプのＵＥによって実行され得る例示的な動作１０００を示す。
【０１１３】
[00135]動作１０００は、１００２において開始し得、ここで、ＵＥは、基地局と通信するために第２のタイプのＵＥによって使用される第２の周波数帯域よりも狭い第１の周波数帯域上での基地局との通信のためのアップリンクリソースの割振りを受信する。割り振られたアップリンクリソースは、第２のタイプのＵＥに割り振られたアップリンクリソースに対して増加されたシンボル持続時間とより狭いサブキャリア間隔とをもつ狭帯域サブフレーム構造において割り振られ得る。狭帯域サブフレーム構造は少なくとも２つのタイムスロットを備え得、各タイムスロットは、第２のタイプのＵＥと通信するために使用されるサブフレーム構造と同じ持続時間を有し得る。１００４において、ＵＥは、割り振られたリソース上でアップリンク送信を実行する。
【０１１４】
[00136]図１１は、本開示の態様による、狭帯域サブフレーム構造が、広帯域サブフレームに対して増加されたシンボル持続時間とより狭いサブキャリア間隔とを有する例示的なサブフレーム構造１１００を示す。図示のように、広帯域サブフレームに対して、ＯＦＤＭシンボル長はファクタ２で乗算され、サブキャリア間隔はファクタ２で低減される。たとえば、各狭帯域ＲＢは（１５ｋＨｚのサブキャリア間隔をもつ１２個のサブキャリアを有する広帯域ＲＢとは対照的に）７．５ｋＨｚのサブキャリア間隔をもつ２４個のサブキャリアを有し得る。狭帯域構造におけるサイクリックプレフィックス長は、広帯域構造において使用されるサイクリックプレフィックスの２倍の長さである。最終的に、サブフレームの長さは、持続時間が２ミリ秒に増加され、各スロット１１１０および１１２０は、持続時間が１ミリ秒である。代替的に、狭帯域サブフレーム構造は、広帯域サブフレーム構造に対して１ミリ秒の持続時間および低減された数のＯＦＤＭシンボルを用いて定義され得る。たとえば、１ミリ秒の持続時間をもつ狭帯域サブフレーム構造は、７つのＯＦＤＭシンボル（たとえば、広帯域サブフレーム構造の半分の数のシンボル）を有し得る。
【０１１５】
[00137]図１２は、本開示の態様による、広帯域（レガシー）サブフレーム１２１０と狭帯域スロット１２２０との間の比較を示す。図示のように、単一の狭帯域スロット１２２０は、広帯域サブフレーム１２１０と同じ持続時間を有する（すなわち、両方とも持続時間が１ミリ秒である）。代替的に、上記で説明されたように、狭帯域サブフレームは、１ミリ秒の持続時間を用いて定義され得る。
【０１１６】
[00138]スケジューリングユニットは１つの狭帯域スロット中の１つのリソース要素であり得る。１スロット送信を用いる効率的なＴＤＤ動作が可能にされ得る。たとえば、１つのアップリンクサブフレームのみが利用可能である場合、ｅＮＢは、狭帯域ＵＥが広帯域ＬＴＥ  ＵＥと整合されるように、狭帯域ＵＥに単一の狭帯域スロットを与え得る。
【０１１７】
[00139]広帯域ＬＴＥ通信に対して狭帯域ＬＴＥ通信のための拡張されたＯＦＤＭシンボル長とより狭いサブキャリア間隔とを使用することによって、サイクリックプレフィックス長は、狭帯域ＬＴＥ通信と広帯域ＬＴＥ通信とのための同じオーバーヘッドを保ちながら、増加され得る。１つの狭帯域スロットが１つの広帯域サブフレームと同じ持続時間を有するので、ＴＤＤおよびスロットレベルスケジューリングが使用され得る。しかしながら、狭帯域ＬＴＥ通信と広帯域ＬＴＥ通信との間の直交性の損失があり得る。さらに、サイクリックプレフィックス長をファクタ２で乗算することは、タイミング誤差を考慮するのに十分な緩衝を与えないことがある。
【０１１８】
[00140]いくつかの場合（以下「スキーム４」）には、狭帯域ＬＴＥ送信は、広帯域ＬＴＥタイミングに適合する異なるヌメロロジーを使用し得る。広帯域ＬＴＥタイミングに適合する異なるヌメロロジーを使用することによって、ＯＦＤＭシンボル（またはガードバンドをもつＯＦＤＭシンボル）は、スロットおよび／またはサブフレーム境界と整合され得る。そのような整合は、狭帯域ＵＥおよび広帯域ＵＥとの時間領域複信通信を実行することを助け得る。
【０１１９】
[00141]図１３は、本開示の態様による、第１のタイプのＵＥ（たとえば、狭帯域ＵＥ）に（「スキーム４」に従って）アップリンクリソースを割り振るために、基地局によって実行され得る例示的な動作１３００を示す。
【０１２０】
[00142]動作１３００は、１３０２において開始し得、ここで、基地局は、第２のタイプのユーザ機器（ＵＥ）と通信するために使用される第２の周波数帯域よりも狭い第１の周波数帯域上で基地局と通信する１つまたは複数の第１のタイプのＵＥにアップリンクリソースを割り振る。アップリンクリソースは、第２のタイプのＵＥに割り振られたアップリンクリソースに対して増加されたシンボル持続時間をもつ狭帯域サブフレーム構造において割り振られる。狭帯域サブフレーム構造は少なくとも２つのシンボルを備え、第２のタイプのＵＥと通信するために使用されるサブフレーム構造と同じ持続時間を有し得る。１３０４において、基地局は、割り振られたリソース上で第１のタイプのＵＥからアップリンク送信を受信する。
【０１２１】
[00143]図１４は、本開示の態様による、基地局（たとえば、図１３に関して上記で説明された動作を実行する基地局）と通信するために、第１のタイプのＵＥによって実行され得る例示的な動作１４００を示す。
【０１２２】
[00144]動作１４００は、１４０２において開始し得、ここで、ＵＥは、基地局と通信するために第２のタイプのＵＥによって使用される第２の周波数帯域よりも狭い第１の周波数帯域上での基地局との通信のためのアップリンクリソースの割振りを受信する。アップリンクリソースは、第２のタイプのＵＥに割り振られたアップリンクリソースに対して増加されたシンボル持続時間をもつ狭帯域サブフレーム構造において割り振られる。狭帯域サブフレーム構造は少なくとも２つのシンボルを備え、第２のタイプのＵＥと通信するために使用されるサブフレーム構造と同じ持続時間を有し得る。１４０４において、ＵＥは、割り振られたリソース上でアップリンク送信を実行する。
【０１２３】
[00145]図１５Ａは、いくつかの実施形態による、広帯域ＬＴＥサブフレーム／スロット構造１５１０を示す。スロットごとに７つのシンボルおよび１．９２ＭＨｚのサンプリング周波数の場合、スロットは９６０個の時間サンプルを備え得、サブフレームは１９２０個の時間サンプルを備え得る。サイクリックプレフィックスのために使用される合計６４個の時間サンプルおよびデータのために使用される合計８９６個の時間サンプルの場合、各スロットは、９つまたは１０個の時間サンプルの長さをもつサイクリックプレフィックスと、１２８個の時間サンプルの長さをもつデータとを含み得る。
【０１２４】
[00146]いくつかの場合には、（たとえば、「スキーム４」による）サブフレームヌメロロジーはファクタ７で乗算され得る。サブフレームヌメロロジーに７を乗算することによって、１つの狭帯域ＯＦＤＭシンボルは、持続時間において１つの広帯域スロットに対応し得る。図１５Ｂ中の狭帯域サブフレーム構造１５２０によって示されるように、シンボルごとに合計９６０個の時間サンプルの場合、各シンボルは、６４個の時間サンプルの持続時間をもつサイクリックプレフィックスと、８９６個の時間サンプルの持続時間をもつデータ部分とを有し得る。したがって、各狭帯域シンボルは、広帯域スロットと整合され（be aligned with）得る。
【０１２５】
[00147]いくつかの場合には、サブフレームヌメロロジーはファクタ６で乗算され得る。ヌメロロジーがファクタで乗算される場合、広帯域ＬＴＥスロットごとに約７／６のシンボルがあり得る。ある場合には、図１６Ａに示されているように、狭帯域シンボル境界を広帯域スロット境界に整合させるために、大きいサイクリックプレフィックスが使用され得る。狭帯域サブフレーム１６１０は２つのＯＦＤＭシンボルを含み得、各々は、（９６０個の時間サンプルのシンボル持続時間、または単一の広帯域スロットの持続時間を生じる）１９２個の時間サンプルの持続時間をもつサイクリックプレフィックスと、７６８個の時間サンプルのデータ部分とを有し得る。さらに、このヌメロロジーは、レガシーＬＴＥ拡張ＣＰ波形をファクタ６で拡張することによって取得され得る。
【０１２６】
[00148]別の例では、ガード期間が導入され得る。図１５Ｃ中の狭帯域サブフレーム構造１５３０によって示されるように、各シンボルは、４４個の時間サンプルの持続時間をもつサイクリックプレフィックスと、８９６個の時間サンプルの持続時間をもつデータ部分とを有し得る。ある場合には、狭帯域サブフレームの境界が広帯域サブフレームの境界と整合されるように、４０個の時間サンプルの持続時間をもつガード期間が第２のシンボルの終端において追加され得る。別の場合には、ガード期間は各狭帯域シンボルの終端に追加され得る（たとえば、シンボルは、４４個の時間サンプルの持続時間をもつサイクリックプレフィックスと、８９６個の時間サンプルの持続時間をもつデータ部分と、２０個の時間サンプルのガード期間とを有し得る）。各狭帯域シンボルの境界は広帯域スロットの境界と整合され得、各狭帯域サブフレームの境界は広帯域サブフレームの境界と整合され得る。
【０１２７】
[00149]いくつかの場合には、拡散ファクタ６を使用して狭帯域シンボルを整合させるために、狭帯域送信が、同じＲＢ中で時間多重化される広帯域ＳＲＳ送信および／またはレガシーＬＴＥ送信に干渉することを回避するように、ガード期間が追加され得る。図１６Ｂは、スロット境界整合を与えるための対称ガード期間の使用を示す。図示のように、狭帯域サブフレーム１６２０は２つのＯＦＤＭシンボルを含み得、各ＯＦＤＭシンボルは、１０６個の時間サンプルの持続時間をもつサイクリックプレフィックスと、７６８個の時間サンプルの持続時間をもつデータ部分と、８６個の時間サンプルの持続時間をもつガード期間とを含み得る。別の場合には、図１６Ｃに示されているように、広帯域（レガシー）ＳＲＳ送信のために広帯域サブフレーム構造における最後のＯＦＤＭシンボルを空にしておくために、非対称ガード期間が狭帯域サブフレーム１６３０中で使用され得る。図示のように、各シンボルは、９６個の時間サンプルの持続時間をもつサイクリックプレフィックスと、７６８個の時間サンプルのデータ部分とを有し得る。第２のシンボルが送信された後、広帯域（レガシー）ＳＲＳに干渉することを回避するために、１９２個の時間サンプル（すなわち、広帯域スロットの１／５のサイズ）の持続時間をもつガード期間が使用され得る。いくつかの場合には、狭帯域送信のためにどのアップリンクヌメロロジーを使用すべきかという選定は、広帯域展開の特性に依存し得る。
【０１２８】
[00150]図１７は、本開示の態様による、広帯域上での通信の特性に基づいて第１のタイプのＵＥ（たとえば、狭帯域ＵＥ）にリソースを割り振るために、基地局によって実行され得る例示的な動作１７００を示す。動作１７００は、１７０２において開始し得、ここで、基地局は、第２のタイプのユーザ機器（ＵＥ）と通信するために使用される第２の周波数帯域よりも狭い第１の周波数帯域上で基地局と通信する１つまたは複数の第１のタイプのＵＥにアップリンクリソースを割り振る。アップリンクリソースは、少なくとも部分的に、第２の周波数帯域を使用する基地局と第２のタイプのＵＥとの間の通信の特性に関して決定される、シンボル持続時間を有する狭帯域サブフレーム構造において割り振られる。１７０４において、基地局は、割り振られたリソース上で第１のタイプのＵＥからアップリンク送信を受信する。
【０１２９】
[00151]図１８は、本開示の態様による、基地局と通信するために、第１のタイプのＵＥによって実行され得る例示的な動作１８００を示す。動作１８００は、１８０２において開始し得、ここで、ＵＥは、基地局と通信するために第２のタイプのＵＥによって使用される第２の周波数帯域よりも狭い第１の周波数帯域上での基地局との通信のためのアップリンクリソースの割振りを受信する。アップリンクリソースは、少なくとも部分的に、第２の周波数帯域を使用する基地局と第２のタイプのＵＥとの間の通信の特性に関して決定される、シンボル持続時間を有する狭帯域サブフレーム構造において割り振られる。１８０４において、ＵＥは、割り振られたリソースを使用してアップリンク送信を実行する。
【０１３０】
[00152]図１９は、本開示の態様による、基地局と第２のタイプのＵＥ（たとえば、広帯域ＵＥ）との間の通信の特性と、狭帯域通信のために使用されるべきアップリンクヌメロロジーの選定との間の関係の例１９００を示す。図示のように、広帯域通信がノーマルサイクリックプレフィックスとＴＤＤとを使用する場合、狭帯域通信は、上記で説明されたように、スキーム２に従って実行され得る。しかしながら、広帯域通信がノーマルサイクリックプレフィックスとＦＤＤとを使用する場合、狭帯域通信は、上記で説明されたように、スキーム１に従って実行され得る。最後に、広帯域通信が拡張サイクリックプレフィックスを使用する場合、広帯域通信がＴＤＤまたはＦＤＤを使用して実行されるか否かにかかわらず、スキーム３が使用され得る。
【０１３１】
[00153]いくつかの場合には、狭帯域フレーム構造はまた、ＳＲＳがいくつかの広帯域サブフレーム中に存在するか否かに基づいて選定され得る。ＳＲＳが存在する場合、たとえば、狭帯域通信は、ガード期間と拡散ファクタ６とを用いるスキーム４を使用し得る。ＳＲＳが存在しない場合、狭帯域通信は、小さいガード期間と拡散ファクタ７とを用いるスキーム４を使用し得る。
【０１３２】
[00154]いくつかの場合には、狭帯域フレーム構造はまた、狭帯域展開が帯域内であるのか、スタンドアロンであるのか、ガードバンドにおいてであるのかに基づいて選択され得る。スタンドアロン展開が狭帯域通信のために使用される場合、たとえば、レガシーＬＴＥに（たとえば、サブフレーム境界と整合されないシンボルに）適合しない（not compatible with）ヌメロロジーが使用され得る。
【０１３３】
[00155]いくつかの場合には、図２０に示されているように、上記で説明されたスキームの各々は、１ｍｓの持続時間をもつサブフレーム構造を使用し得る。スキーム１またはスキーム３の場合、１ミリ秒サブフレーム構造が使用され、サブフレームは、（サブフレーム２０１０によって示されるように、ノーマルサイクリックプレフィックスが使用される場合に）１４個のシンボル、または（サブフレーム２０２０によって示されるように、拡張サイクリックプレフィックスが使用される場合に）１２個のシンボルを含み得る。スキーム３の場合、ＯＦＤＭシンボル長さは増加され、サブキャリア間隔は、対応する量だけ減少され、１ミリ秒サブフレーム２０３０は７つのシンボル（すなわち、ノーマルサイクリックプレフィックスを使用する広帯域サブフレーム構造の半分の数のシンボル）を含み得る。最後に、スキーム４の場合、１ミリ秒サブフレーム２０４０構造は２つのシンボルを含み、上記で説明されたように、同じＲＢ中で時間多重化された広帯域ＳＲＳまたは広帯域（レガシー）送信の周りでレートマッチングするためのガード期間をオプションで含み得る。
【０１３４】
[00156]いくつかの場合には、広帯域通信がＴＤＤを使用する場合、基地局と通信するために狭帯域ＵＥによって使用されるアップリンクヌメロロジーは、フレーム中のアップリンクサブフレームの数に基づき得る。たとえば、広帯域通信が（フレーム中で６つのアップリンクサブフレームを有する）ＴＤＤ構成０を使用して実行される場合、狭帯域ＵＥによって使用されるアップリンクヌメロロジーは（上記で説明されたように）６で乗算され得るが、広帯域通信が（フレーム中で４つのアップリンクサブフレームを有する）ＴＤＤ構成１を使用して実行される場合、狭帯域ＵＥによって使用されるアップリンクヌメロロジーは４で乗算され得る。いくつかの場合には、狭帯域通信のために使用されるアップリンクヌメロロジーは、フレーム中のアップリンクサブフレームの利用可能性に基づいて調整され得る。たとえば、ＴＤＤ構成６では、フレームの前半（第１の半分）は３つのアップリンクサブフレームを含むが、フレームの後半（第２の半分）は２つのアップリンクサブフレームを含む。狭帯域ＵＥは、フレームの前半（第１の半分）について６で乗算されるアップリンクヌメロロジーを使用し得るが、アップリンクヌメロロジーは、フレームの後半（第２の半分）について４で乗算され得る。
【０１３５】
[00157]いくつかの場合には、ｅノードＢとの通信のために使用されるアップリンクヌメロロジーは、ｅノードＢによって狭帯域ＵＥに明示的にシグナリングされ得る。アップリンクヌメロロジーは（たとえば、システム情報ブロック中で）ブロードキャストされるか、または（たとえば、ＲＲＣ接続メッセージ中で）狭帯域ＵＥに個々に送信され得る。いくつかの場合には、アップリンクヌメロロジーはアップリンク許可（グラント）中で送信され得る。
【０１３６】
[00158]いくつかの場合（以下「スキーム５」）には、狭帯域ＬＴＥ送信は、広帯域ＬＴＥタイミングに適合しないアップリンクヌメロロジーを使用し得る。狭帯域ＬＴＥサブフレーム構造におけるシンボルは、広帯域ＬＴＥサブフレームのセットの境界と整合し得る。
【０１３７】
[00159]図２１は、本開示の態様による、第１のタイプのＵＥ（たとえば、狭帯域ＵＥ）に（「スキーム５」に従って）リソースを割り振るために、基地局によって実行され得る例示的な動作を示す。
【０１３８】
[00160]動作２１００は、２１０２において開始し、ここで、基地局は、第２のタイプのユーザ機器（ＵＥ）と通信するために使用される第２の周波数帯域よりも狭い第１の周波数帯域上で基地局と通信する１つまたは複数の第１のタイプのＵＥにアップリンクリソースを割り振る。アップリンクリソースは、第２のタイプのＵＥに割り振られたアップリンクリソースに対して増加されたシンボル持続時間をもつ狭帯域サブフレーム構造において割り振られる。狭帯域サブフレーム構造におけるシンボルは、第２のタイプのＵＥと通信するために使用される複数のサブフレーム構造のセットの境界と整合され得る。
【０１３９】
[00161]２１０４において、基地局は、割り振られたリソース上で第１のタイプのＵＥからアップリンク送信を受信する。
【０１４０】
[00162]図２２は、本開示の態様による、基地局（たとえば、図２１に関して上記で説明された動作を実行する基地局）と通信するために、第１のタイプのＵＥによって実行され得る例示的な動作を示す。
【０１４１】
[00163]動作２２００は、２２０２において開始し得、ここで、ＵＥは、基地局と通信するために第２のタイプのＵＥによって使用される第２の周波数帯域よりも狭い第１の周波数帯域上での基地局との通信のためのアップリンクリソースの割振りを受信する。アップリンクリソースは、第２のタイプのＵＥに割り振られたアップリンクリソースに対して増加されたシンボル持続時間をもつ狭帯域サブフレーム構造において割り振られる。狭帯域サブフレーム構造におけるシンボルは、第２のタイプのＵＥと通信するために使用される複数のサブフレーム構造のセットの境界と整合され得る。２２０４において、ＵＥは、割り振られたリソース上でアップリンク送信を実行する。
【０１４２】
[00164]スキーム５では、狭帯域構造において使用されるＯＦＤＭシンボル（またはＯＦＤＭシンボル＋追加のガード期間）は、広帯域構造において使用されるサブフレーム境界または複数のサブフレームのセットの境界と整合され得る。いくつかの場合には、狭帯域構造において使用されるＯＦＤＭシンボルの始端を、広帯域構造において使用されるサブフレーム境界または複数のサブフレームのセットの境界と整合させるために、ガード期間またはサイクリックプレフィックスサンプルが追加され得る。
【０１４３】
[00165]たとえば、狭帯域サブフレーム構造のためのアップリンクヌメロロジーは４で乗算され、４ｍｓサブフレーム持続時間と、２ｍｓスロット持続時間と、広帯域サブフレーム構造において使用されるシンボルの持続時間の４倍であるシンボル持続時間とを生じ得る。狭帯域サブフレームの境界が広帯域サブフレームの境界と整合しないことがあるが、狭帯域構造において使用されるＯＦＤＭシンボルは、１つの広帯域サブフレームおきに広帯域構造において使用されるＯＦＤＭシンボルと整合され得る（たとえば、狭帯域および広帯域構造において使用されるＯＦＤＭシンボルは、通信が開始されるとき［時間０］、２ｍｓにおいて（２つの広帯域サブフレーム、および第１の狭帯域サブフレームの第１のスロットが送信された後）、４ｍｓにおいて（４つの広帯域サブフレーム、および１つの狭帯域サブフレームが送信された後）など、整合され得る。
【０１４４】
[00166]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの組合せによって表され得る。
【０１４５】
[00167]さらに、本明細書の開示に関して説明された様々な例示的な論理ブロック、モジュール、回路、およびアルゴリズムステップは、電子ハードウェア、ソフトウェア／ファームウェア、またはそれらの組合せとして実装され得ることを、当業者は諒解されよう。ハードウェアとソフトウェア／ファームウェアのこの互換性を明確に示すために、様々な例示的な構成要素、ブロック、モジュール、回路、およびステップが、概してそれらの機能に関して上記で説明された。そのような機能がハードウェアとして実装されるか、ソフトウェア／ファームウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【０１４６】
[00168]本明細書の開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０１４７】
[00169]本明細書の開示に関して説明された方法またはアルゴリズムのステップは、直接ハードウェアで実施されるか、プロセッサによって実行されるソフトウェア／ファームウェアモジュールで実施されるか、またはそれらの組合せで実施され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１４８】
[00170]１つまたは複数の例示的な設計では、説明された機能は、ハードウェア、ソフトウェア／ファームウェア、またはそれらの組合せで実装され得る。ソフトウェア／ファームウェアで実装される場合、機能は、１つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ／ＤＶＤまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェア／ファームウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【０１４９】
[00171]特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１５０】
[00172]本開示についての以上の説明は、いかなる当業者も本開示を作成または使用することができるように与えたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
【図１】
2018533257.tif 000003
【図２】
2018533257.tif 000004
【図３】
2018533257.tif 000005
【図４】
2018533257.tif 000006
【図５】
2018533257.tif 000007
【図６】
2018533257.tif 000008
【図７】
2018533257.tif 000009
【図８】
2018533257.tif 000010
【図９】
2018533257.tif 000011
【図１０】
2018533257.tif 000012
【図１１】
2018533257.tif 000013
【図１２】
2018533257.tif 000014
【図１３】
2018533257.tif 000015
【図１４】
2018533257.tif 000016
【図１５Ａ】
2018533257.tif 000017
【図１５Ｂ】
2018533257.tif 000018
【図１５Ｃ】
2018533257.tif 000019
【図１６Ａ】
2018533257.tif 000020
【図１６Ｂ】
2018533257.tif 000021
【図１６Ｃ】
2018533257.tif 000022
【図１７】
2018533257.tif 000023
【図１８】
2018533257.tif 000024
【図１９】
2018533257.tif 000025
【図２０】
2018533257.tif 000026
【図２１】
2018533257.tif 000027
【図２２】
2018533257.tif 000028
【国際調査報告】
2018533257.tif 000029
2018533257.tif 000030
2018533257.tif 000031